(57)【要約】  本発明は、吐き気を防ぐか軽減するために車両内にオン・デマンドで香り付けされた空気を供給する、デジタル・アロマ・システムを対象とする。芳香カートリッジが、マニホルドとプロセッサによって制御される弁とを有する芳香モジュール内に保持される。システムは、ユーザ入力、以前の吐き気の検出された位置、または検出された吐き気を誘発する車両の動きに応答して、吐き気抑制芳香カートリッジを通って気流を向けるために弁を開くことができる。【選択図】図３１
2021528298.tif 000002
【特許請求の範囲】
【請求項１】
デジタル・アロマ・システムであって、
プロセッサと、
車両の動きを検出する、前記プロセッサに結合された動きセンサと、
それぞれがカートリッジ・ハウジングと前記カートリッジ・ハウジング内の吐き気抑制乾燥芳香分子を染み込まされた複数の基質とを有する吐き気抑制乾燥芳香カートリッジを含む芳香モジュールと、
前記吐き気抑制乾燥芳香カートリッジを通って空気を送る、前記プロセッサによって制御される気流制御システムと、
前記デジタル・アロマ・システムを通って空気を移動させる、ファンまたはポンプと
を含み、前記車両の前記動きを表す動き信号は、前記動きセンサから前記プロセッサに送信され、前記動き信号がしきい値より大きい時に、前記プロセッサは、前記吐き気抑制乾燥芳香カートリッジを通る第１の流れ経路を作成するために第１の弁を開き、空気は、前記吐き気抑制乾燥芳香カートリッジを通って向けられ、したがって、乾燥乗物酔抑制芳香の一部は、前記吐き気抑制乾燥芳香カートリッジから前記車両の内部に送られる
デジタル・アロマ・システム。
【請求項２】
前記デジタル・アロマ・システムに前記乗物酔抑制芳香を放たせるために作動される入力を有する、前記プロセッサに結合されたユーザ・インターフェース
をさらに含む、請求項１に記載のデジタル・アロマ・システム。
【請求項３】
前記ユーザ・インターフェースは、モバイル・アプリケーション・プログラムを走行させるモバイル・コンピューティング・デバイス上で表示される、請求項２に記載のデジタル・アロマ・システム。
【請求項４】
前記プロセッサと通信しているユーザ・インターフェースであって、前記ユーザ・インターフェースは、ユーザの吐き気のレベルを入力する吐き気レベル入力を有し、前記プロセッサによって前記吐き気抑制乾燥芳香カートリッジから送られる前記乗物酔抑制芳香の量は、前記ユーザの吐き気のレベルに比例する、ユーザ・インターフェース
をさらに含む、請求項１に記載のデジタル・アロマ・システム。
【請求項５】
前記吐き気レベル入力は、低吐き気レベル入力および高吐き気レベル入力を有し、前記低吐き気レベル入力が作動される時には、より少ない量の前記乗物酔抑制芳香が、前記プロセッサによって前記吐き気抑制乾燥芳香カートリッジから送られ、前記高い吐き気レベル入力が作動される時には、より多い量の前記乗物酔抑制芳香が、前記プロセッサによって前記吐き気抑制乾燥芳香カートリッジから送られる、請求項４に記載のデジタル・アロマ・システム。
【請求項６】
前記芳香モジュールは、吐き気抑制乾燥芳香分子ではない乾燥芳香分子を染み込まされた複数の基質を含む、請求項４に記載のデジタル・アロマ・システム。
【請求項７】
デジタル・アロマ・システムであって、
プロセッサと、
車両の位置および速度を識別する、前記プロセッサに結合された全地球測位システム（ＧＰＳ）と、
前記車両が移動しているルートを識別する、前記プロセッサに結合されたマッピング・システムと、
前記車両の動きを検出する、前記プロセッサに結合された動きセンサと、
カートリッジ・ハウジングと前記カートリッジ・ハウジング内の吐き気抑制乾燥芳香分子を染み込まされた複数の基質とを有する乾燥芳香カートリッジを含む芳香モジュールと、
前記乾燥芳香カートリッジを通って空気を送る、前記プロセッサによって制御される弁を有する気流制御システムと、
前記デジタル・アロマ・システムを通って空気を移動する、ファンまたはポンプと
を含み、前記プロセッサは、所定の時間期間にわたる予測された速度および道路の曲率に起因する前記車両への求心加速力が、所定の値を超えると判定し、前記プロセッサは、前記カートリッジを通って空気向け、したがって、吐き気抑制乾燥芳香分子の一部は、前記カートリッジから前記車両の内部に送られる
デジタル・アロマ・システム。
【請求項８】
前記デジタル・アロマ・システムに前記乗物酔抑制芳香を放たせるために作動される入力を有する、前記プロセッサに結合されたユーザ・インターフェース
をさらに含む、請求項７に記載のデジタル・アロマ・システム。
【請求項９】
前記ユーザ・インターフェースは、モバイル・アプリケーション・プログラムを走行させるモバイル・コンピューティング・デバイス上で表示される、請求項８に記載のデジタル・アロマ・システム。
【請求項１０】
複数のユーザの吐き気位置を記憶するユーザ・データベースであって、前記車両が、前記吐き気位置の１つにあることが検出される時に、前記プロセッサは、乗物酔抑制芳香を含む前記第１のカートリッジを通る第１の流れ経路を作成するために第１の弁を開き、空気は、前記第１のカートリッジを通って向けられ、したがって、前記乾燥乗物酔抑制芳香の一部は、前記第１のカートリッジから前記車両の内部に送られる、ユーザ・データベース
をさらに含む、請求項７に記載のデジタル・アロマ・システム。
【請求項１１】
前記プロセッサと通信しているユーザ・インターフェースであって、前記ユーザ・インターフェースは、ユーザの吐き気のレベルを入力する吐き気レベル入力を有し、前記プロセッサによって前記カートリッジから送られる前記乗物酔抑制芳香の量は、前記ユーザの吐き気のレベルに比例する、ユーザ・インターフェースと、
複数のユーザの吐き気位置を記憶するユーザ・データベースであって、前記車両が前記吐き気位置の１つにあることが検出される時に、前記プロセッサは、乗物酔抑制芳香を含む前記第１のカートリッジを通る第１の流れ経路を作成するために第１の弁を開き、空気は、前記第１のカートリッジを通って向けられ、したがって、前記乾燥乗物酔抑制芳香の一部は、前記第１のカートリッジから前記車両の内部に送られる、ユーザ・データベースと
をさらに含む、請求項７に記載のデジタル・アロマ・システム。
【請求項１２】
前記プロセッサと通信しているユーザ・インターフェースであって、前記ユーザ・インターフェースは、ユーザの吐き気のレベルを入力する吐き気レベル入力を有し、低吐き気レベル入力が作動される時には、より少ない量の前記乗物酔抑制芳香が前記プロセッサによって前記カートリッジから送られ、高吐き気レベル入力が作動される時には、より多い量の前記乗物酔抑制芳香が前記プロセッサによって前記カートリッジから送られる、ユーザ・インターフェース
をさらに含む、請求項７に記載のデジタル・アロマ・システム。
【請求項１３】
デジタル・アロマ・システムであって、
プロセッサと、
車両の位置および速度を識別する、前記プロセッサに結合された全地球測位システム（ＧＰＳ）と、
前記車両が移動している道路を識別する、前記プロセッサに結合されたマッピング・システムと、
前記車両の動きを検出する、前記プロセッサに結合された動きセンサと、
それぞれがカートリッジ・ハウジングと前記カートリッジ・ハウジング内の芳香分子を染み込まされた複数の基質とを有する複数の乾燥芳香カートリッジを含む芳香モジュールと、
前記複数の乾燥芳香カートリッジを通って空気を選択的に送る、前記プロセッサによって制御される弁を有する気流制御システムであって、前記複数の乾燥芳香カートリッジのそれぞれは、異なる芳香を有する、気流制御システムと、
前記デジタル・アロマ・システムを通って空気を移動させるファンまたはポンプと、
前記プロセッサと通信しているデータベースであって、前記データベースは、複数のユーザのユーザ吐き気位置を記憶する、データベースと
を含み、前記プロセッサは、前記車両が前記ユーザ吐き気位置のうちの少なくとも１つまたは吐き気グループ内のユーザの前記吐き気位置のうちの少なくとも１つを移動していると判定し、前記プロセッサは、乗物酔抑制芳香を含む第１のカートリッジを通る第１の流れ経路を作成するために第１の弁を開き、空気は、前記第１のカートリッジを通って向けられ、したがって、乾燥乗物酔抑制芳香の一部は、前記第１のカートリッジから前記車両の内部に送られる
デジタル・アロマ・システム。
【請求項１４】
前記デジタル・アロマ・システムに前記乗物酔抑制芳香を放たせるために作動される入力を有する、前記プロセッサに結合されたユーザ・インターフェース
をさらに含む、請求項１３に記載のデジタル・アロマ・システム。
【請求項１５】
前記ユーザ・インターフェースは、モバイル・アプリケーション・プログラムを走行させるモバイル・コンピューティング・デバイス上で表示される、請求項１４に記載のデジタル・アロマ・システム。
【請求項１６】
複数のユーザの吐き気位置を記憶するユーザ・データベースであって、前記車両が、前記吐き気位置の１つにあることが検出される時に、前記プロセッサは、乗物酔抑制芳香を含む前記第１のカートリッジを通る第１の流れ経路を作成するために第１の弁を開き、空気は、前記第１のカートリッジを通って向けられ、したがって、前記乾燥乗物酔抑制芳香の一部は、前記第１のカートリッジから前記車両の内部に送られる、ユーザ・データベース
をさらに含む、請求項１３に記載のデジタル・アロマ・システム。
【請求項１７】
前記プロセッサと通信しているユーザ・インターフェースであって、前記ユーザ・インターフェースは、ユーザの吐き気のレベルを入力する吐き気レベル入力を有し、前記プロセッサによって前記第１のカートリッジから送られる前記乗物酔抑制芳香の量は、前記ユーザの吐き気のレベルに比例する、ユーザ・インターフェース
をさらに含む、請求項１３に記載のデジタル・アロマ・システム。
【請求項１８】
前記車両内のライトに結合されたライト・コントローラであって、前記ライト・コントローラは、前記ユーザの吐き気のレベルを下げるために前記車両内の前記ライトを調整する、ライト・コントローラ
をさらに含む、請求項１３に記載のデジタル・アロマ・システム。
【発明の詳細な説明】
【技術分野】
【０００１】
関連出願の相互参照
本願は、参照によってその全体がこれによって組み込まれている、２０１８年６月１１日に出願した米国特許仮出願第６２／６８３２３８号、名称「Ｄｉｇｉｔａｌ  Ａｒｏｍａ  Ｄｉｓｐｅｒｓｉｏｎ  Ｓｙｓｔｅｍ  Ｆｏｒ  Ｐｒｅｄｉｃｔｉｎｇ  Ａｎｄ  Ｍｉｔｉｇａｔｉｎｇ  Ｍｏｔｉｏｎ  Ｓｉｃｋｎｅｓｓ」の優先権を主張するものである。
【背景技術】
【０００２】
乗物酔は、自動車、バス、飛行機、ボート、および列車などの輸送乗物に関する一般的な問題である。症状は、疲労、不安、めまい、および嘔吐を含む。乗物酔の症状を軽減できる通常のアクションは、人の正面の物体に目の焦点を合わせること、ならびにこれらの症状を軽減することのできるリスト・バンド、経口投薬、および経皮投薬を含む。
【０００３】
様々な研究は、乗客が自律車両に乗っている間にマルチタスクを行っているので、成人の大きいパーセンテージがこれらの自律自動車で自動車酔いを経験することを示す。ｈｔｔｐ：：／／ｕｍｉｃｈ．ｅｄｕ／〜ｄｒｉｖｉｎｇ／ｐｕｂｌｉｃａｔｉｏｎｓ／Ｍｏｔｉｏｎ−Ｓｉｃｋｎｅｓｓ−Ｒｅｐｏｒｔ−０６１６１６ｐｇ−ｓｅｎｔ．ｐｄｆ。必要なものは、車両に一体化されまたは独立型とすることもでき、香油を使用せず、発ガン性ではない、乗物酔の症状を予測し、軽減することのできる改善された芳香システムである。
【発明の概要】
【０００４】
乗物酔は、内耳、目、および感覚受容器の相反する信号によって引き起こされる可能性がある。動きは、内耳、目、および体表面の組織を含む神経系の異なる経路を介して脳によって感知される。本発明は、乗物酔を予測しまたは乗物酔の症状を軽減できる１つまたは複数の芳香によってこれに応答するために車両内で利用できるアロマ経験を提供するデジタル・アロマ・システムを対象とする。本発明の吐き気抑制芳香システムは、乗用車、バン、バス、オフロード車両、列車、ヘリコプタ、航空機、ホバークラフト、ハイドロフォイル、ボート、フェリー、その他を含むすべてのタイプの移動する車両と共に使用することができる。
【０００５】
本発明は、マニホルドに接続する交換可能カセット・システム内に取り外し可能に取り付けられた芳香カートリッジ（１つまたは複数）内に含まれる多孔質芳香材料を含む乾燥芳香を染み込まされたビーズまたは他の固体基質を利用するデジタル・アロマ・システムである。マニホルドは、コンピュータ・プロセッサによって制御されるファンまたはポンプに接続される特定の空道通路を有する。芳香制御信号または芳香トリガに応答して、プロセッサは、任意の個々のターゲット芳香カートリッジに空気を選択的に向けることができる。より具体的には、プロセッサは、ファンまたはポンプにターゲット芳香カートリッジを通って新鮮な香り付けされていない空気を引かせまたは押させることができ、新鮮な空気は、乾いた芳香材料を染み込まされた粒子を通過する。アロマは、１つまたは複数の出口を介して個人に達する。
【０００６】
本発明デジタル・アロマ・システムは、車両内でのユーザの乗車経験の質を高める多数のアロマを提供しながら、非常に小さいフットプリントにおさまるように設計される。一実施形態では、デジタル・アロマ・システムは、多数（たとえば、６つ）の別個の芳香カートリッジを同時に保持することができる。デジタル・アロマ・システムは、車両に結合されまたは一体化され、あるいはその代わりに、デジタル・アロマ・システムは、ヘッドレスト支柱もしくはヘッドセットにクリップ止めされるシステム、首の回りに身に着けられる装置、またはハンドヘルド・デバイスなどの別々のデバイスに組み込まれ得る。
【０００７】
デジタル・アロマ・システム発明は、乗物酔をもたらす可能性がある車両およびユーザの動きを検出し、嘔吐抑制香り知覚経験を作成するコンピュータ・ソフトウェアを走行させるプロセッサを含むことができる。デジタル・アロマ・システムのこのコンピュータ・プロセッサは、クラウドベース・システムおよび／またはリモート・サーバ内のリモート・コンピュータと通信することもできる。一実施形態では、デジタル・アロマ・システムは、ＢｌｕｅＴｏｏｔｈ、ＷｉＦｉ、ＲＦＩＤ、または類似する技術を介して他のデバイスとワイヤレスに通信することができ、他のデバイスは、芳香を解放する制御信号またはトリガを供給することができる。
【０００８】
デジタル・アロマ・システムは、システム構成要素の動作を制御し、監視することのできるプロセッサを含むことができる。プロセッサを、ファンおよび／または弁に結合して、空気をターゲット芳香カートリッジに選択的に向けることができる。所望の芳香信号またはトリガが検出される時に、プロセッサは、空気入口を介して新鮮な空気をターゲット芳香カートリッジに向けることができる。乾燥芳香は、新鮮な空気と混合され、システム・ユーザへの香り付け出口に向けられ得る。いくつかの実施形態では、プロセッサは、２つ以上のターゲット芳香カートリッジを介して新鮮な空気を向けて、混合された芳香をユーザに提供することができる。香り付けは、制限された所定の時間期間または空気の体積として提供される。香り付けがユーザに提供された後に、プロセッサは、ファン（１つまたは複数）を停止しまたは弁（１つまたは複数）を閉じることによって、芳香カートリッジを介する空気の流れを停止することができる。一実施形態では、プロセッサは、後続の芳香が混合されまたは汚染されることがなくなるように、新鮮な空気を用いて周期的にマニホルドの香り付け出口をフラッシュするようにプログラムされ得る。たとえば、プロセッサは、システムによって出力された各芳香の後に香り付け出口を通って新鮮な空気を向けることができる。
【０００９】
デジタル・アロマ・システムは、制御信号またはトリガに基づいて芳香を解放することができる。デジタル・アロマ・システムは、芳香信号を受信する受信器を含むことができる。芳香信号に応答して、プロセッサは、対応するターゲット芳香カートリッジを識別し、ターゲット芳香カートリッジに空気を向け、これが、乾燥芳香デバイスがユーザに乾燥芳香アロマを配送することをもたらすことができる。
【００１０】
いくつかの実施形態では、デジタル・アロマ・システムは、手動入力に応答することができる。たとえば、一実施形態では、デジタル・アロマ・システムは、ユーザが、１〜５の範囲にわたることのできる、乗物酔不快のレベルを入力することを可能にすることのできる入力を有することができる。不快レベルは、０  無症状、１  あくび、湿っぽい、頭がくらくらする、２  げっぷ、無気力、めまい、３  胃のねじれまたはむかつき、眠い、唾液が出る、４  嘔吐寸前、頭が混乱する、消耗、失見当識、５  嘔吐、頭が激しく混乱する、極端な発汗とすることができる。ユーザは、乗物酔不快レベルを入力することができ、デジタル・アロマ・システムは、不快レベルに基づいて体積および芳香を変化させることのできる吐き気抑制芳香を放つことによって応答することができる。たとえば、ユーザが０の不快レベルを入力する時に、システムは、吐き気抑制特性を全く有しない可能性がある、ユーザの望む通常の芳香を放つことができる。一実施形態では、吐き気抑制芳香は、香り付けすなわちペパーミント、スペアミント、レモン、ジンジャー、およびラベンダのうちの少なくとも２つの乾燥物の独自ブレンドである。独自ブレンドの各香り付けのパーセンテージは、組合せに応じて変化し、これらの成分のすべてを必ず含むわけではない。
【００１１】
ユーザが１の不快レベルを入力する時に、システムは、少体積の第１の吐き気抑制芳香を出力することができ、ユーザがより高い不快レベルを入力する場合には、システムは、より大きい体積の第１の吐き気抑制芳香を出力することができる。別の実施形態では、システムは、ユーザが入力する、より高い不快レベルに基づいて、吐き気抑制芳香を変更することができる。ユーザが、レベル１不快レベルを入力する時に、システムは、第１の吐き気抑制芳香を放つことができ、ユーザが、レベル２不快レベルを入力する時に、システムは、第２の吐き気抑制芳香を放つことができ、ユーザが、レベル３不快レベルを入力する時に、システムは、第３の吐き気抑制芳香を放つことができるなどである。
【００１２】
一実施形態では、ユーザ入力は、スマート・フォン上で走行するモバイル・アプリケーションとのワイヤレス通信を介するものとすることができる。入力は、タッチ・スクリーン入力などの電気機械入力、マイクロホンなどのオーディオ入力とすることができる。デジタル・アロマ・システムは、フィードバック・ループを提供することができる。システムは、バイオメトリック入力を含むユーザの入力および車両の動きを加速度計およびジャイロスコープなどのセンサを用いて分析し、記録することができる。この情報に基づいて、システムは、ユーザのフィードバック経験に基づいて、ユーザの個人的な好みを学習することができる。ユーザの不快レベルならびに車両のルート・マッピング、加速、減速、および重力加速度からのデータは、車両の動きおよびシステム・ユーザの不快レベルを予測するのに、人工知能（ＡＩ）予測システムによって使用され得る。
【００１３】
いくつかの実施形態では、デジタル・アロマ・システムは、自動化されたトリガに応答することができる。横揺れ、加速度、周囲のにおい、その他など。たとえば、システムは、車両の動きを検出し、予測するために、移動センサまたは動きセンサと相互作用することができる。システムは、加速度、減速度、カーブでの重力加速度に基づいて、特定の乗物酔を減少させる香り付けを分散させることができる。ｇｏｏｇｌｅ  ｍａｐｓまたは任意の他のマッピング・システムと相互作用し、車両の速度および道路のカーブに基づいて重力加速度を予測する。これは、事象が発生する時のマッピングされたルート、速度、およびタイミングに基づいて乗物酔を効果的に予測するために、ＡＩを使用する分散プロセスを自動化する。これは、重力加速度効果の直前に動き香り付けを拡散させる。したがって、完全に乗物酔の先手を打つ。乗物酔を軽減できる香り付けは、ペパーミント、スペアミント、レモン、ジンジャー、およびラベンダの独自ブレンドを含むことができる。
【００１４】
本発明は、添付図面に関連する以下の詳細な説明によってたやすく理解され、図面では、同様の符号が同様の構造要素を指す。
【図面の簡単な説明】
【００１５】
【図１】芳香カートリッジの実施形態を示す底面図である。
【図２】芳香カートリッジの実施形態を示す底面透視図である。
【図３】芳香カートリッジの実施形態を側面図である。
【図４】芳香カートリッジの実施形態を底面透視図である。
【図５】複数の芳香カートリッジを保持するカセットの実施形態を示す上面図である。
【図６】カセットの実施形態を示す上面透視図である。
【図７】カセットの実施形態を示す側面図である。
【図８】複数の芳香カートリッジを有するカセットの実施形態を示す上面透視図である。
【図９】複数の芳香カートリッジを有するカセットの実施形態を示す透視図である。
【図１０】デジタル・アロマ・システムのユーザ・インターフェースを有する一体化されたデジタル・アロマ・システムを有する自動車を示す側面図である。
【図１１】デジタル・アロマ・システムのユーザ・インターフェースの実施形態を示す正面図である。
【図１２】デジタル・アロマ・システムの実施形態を示す上面図である。
【図１３】カセットを除去された車両インターフェースの異なる実施形態を示す底面図である。
【図１４】カセットを除去された車両インターフェースの異なる実施形態を示す底面図である。
【図１５】一体化されたデジタル・アロマ・システムを含むヘッドセットの実施形態を示す図である。
【図１６】ヘッドセットのデジタル・アロマ・システム構成要素の実施形態を示す図である。
【図１７】デジタル・アロマ・システムを背面に取り付けられたタブレット・コンピュータを示す側面図である。
【図１８】デジタル・アロマ・システムを背面に取り付けられたスマート・フォンを示す側面図である。
【図１９】芳香カートリッジの実施形態を示す上面断面図である。
【図２０】芳香カートリッジの実施形態を示す上面断面図である。
【図２１】芳香カートリッジの実施形態を示す側面断面図である。
【図２２】芳香カートリッジの実施形態を示す側面断面図である。
【図２３】芳香カートリッジの実施形態を示す底面透視図である。
【図２４】カセットおよびマニホルド・モジュールの実施形態を示す透視分解図である。
【図２５】マニホルド・モジュールの実施形態を示す上面図である。
【図２６】カセットを有するマニホルド・アセンブリの実施形態を示す上面透視図である。
【図２７】デジタル・アロマ・システムの実施形態を示す上面透視図である。
【図２８】デジタル・アロマ・システムの実施形態を通る気流を示す上面図である。
【図２９】デジタル・アロマ・システムの実施形態の構成要素を示すブロック図である。
【図３０】一体化された芳香システム・ベントおよび芳香センサを有する複数座席車両を示す上面図である。
【図３１】手動吐き気入力プロセスを示す流れ図である。
【図３２】予測吐き気入力プロセスを示す流れ図である。
【図３３】ルート予測吐き気入力プロセスを示す流れ図である。
【図３４】車両内知覚経験ネットワーク・システムの光出力、香り付け出力、およびオーディオ出力の実施形態を示す図である。
【図３５】芳香カートリッジを生産し、リサイクルするプロセスを示す流れ図である。
【図３６】芳香分散システムと共に使用できるコンピュータ・システムを示す図である。
【発明を実施するための形態】
【００１６】
本発明の１つまたは複数の実施形態の詳細な説明を、下で、本発明の原理を示す添付図面と一緒に提供する。本発明は、そのような実施形態（１つまたは複数）に関連して説明されるが、本発明が、どの実施形態にも限定されないことを理解されたい。逆に、本発明の範囲は、特許請求の範囲のみによって限定され、本発明は、多数の代替物、修正形態、および同等物を包含する。たとえば、本発明の完全な理解を提供するために、以下の説明で多数の特定の詳細が示される。これらの詳細は、例として提供され、本発明は、これらの特定の詳細の一部またはすべてを伴わずに特許請求の範囲に従って実践され得る。明瞭さのために、本発明に関する技術分野で既知の技術的材料は、本発明が不必要に不明瞭にならないようにするために、詳細には説明されない。
【００１７】
芳香カートリッジの実施形態を、図１〜図４に示す。図１は、底面１０５に複数の気流スロット１０３を有する芳香カートリッジ１０１の実施形態の底面図を示す。一実施形態では、カートリッジをカセットに固定するのに使用されるタブ１０８を、カートリッジ１０１の外面に取り付けることができる。図２は、分解された状態の芳香カートリッジ１０１の透視図を示す。この実施形態では、芳香カートリッジ１０１は、内側体積を有する上側ハウジング１０７構造と、気流スロット１０３を有する下側表面１０５および中央ディバイダ１０６を有する下側ハウジング１０９構造とを含む。中央ディバイダ１０６は、上側ハウジング１０７の内面内に形成された溝１１０内にはまる外側表面を有することができる。図３は、芳香カートリッジ１０１の完全なハウジングを形成するために一緒に固定される上側ハウジング１０７および下側ハウジング１０９を含む２ピース・ハウジングを有する芳香カートリッジ１０１の側面図を示す。図４は、分解された状態の芳香カートリッジ１０１の透視図を示す。上側ハウジング１０７は、乾燥芳香を染み込まされた複数の基質１１３を充てんされ得る。一実施形態では、基質１１３は、下側表面１０５構造の外径を上側ハウジング１０７構造の底面の内径に融合しまたは結合できる前に、球形の球または立方体、円筒形、粒子、もしくは他の幾何的体積などの他の３次元物体とすることができる。
【００１８】
芳香カートリッジ１０１は、下側表面１０５内の気流スロット１０３および下側表面１０９を有するドーム形状として図示されているが、他の実施形態では、芳香カートリッジは、複数の基質１１３を保持できる任意の他の幾何形状を有することができる。基質１１３の幅は、下側表面１０５内のスロット１０３および中央ディバイダ１０６より幅広い。空気がカートリッジ１０１を通って流れる時に、乾燥芳香は、空気と混合し、基質１１３から除去され、香り付けされた空気がカートリッジ１０１を出ることをもたらすことができる。一実施形態では、芳香カートリッジ１０１の下側部分は、マニホルドまたはカセット・マトリックス内の対応する円筒形の穴に配置され得る円筒形の形状を有することができる。
【００１９】
一実施形態では、図５〜図８を参照すると、芳香カセット・マトリックス１１５の実施形態が示されている。カセット・マトリックス１１５の図示の実施形態は、単一行構成で５つの芳香カートリッジ１０１をしっかりと保持する上面内に形成された５つのカートリッジ・ソケット１１７を有することができる。他の実施形態では、カセット・マトリックスは、２×６、３×８、または円形カセット・マトリックス構成を含む任意の他の１次元、２次元、または３次元のアレイ構成などの異なる構成で、より多数の芳香カートリッジ１０１を保持することができる。
【００２０】
カートリッジ・ソケット１１７のそれぞれは、２つの空気チャネル、１つの入口１１４、および１つの出口１１６を有し、芳香カートリッジ１０１をソケット１１７に簡単に配置し、除去できるように、タブ・スロット１１９によってキー溝を設けられ得る。図５は、芳香カセット・マトリックス１１５の上面図を示す。図６は、カセット・マトリックス１１５の上面透視図を示す。カセット・マトリックス１１５は、それぞれが１つの芳香カートリッジを保持するカートリッジ開口１１７を有することができる。図７は、カセット・マトリックス１１５の側面図を示す。カセット・マトリックス１１５は、カセット・マトリックス１１５の一側面に形成された入口穴と、カセット・マトリックス１１５の反対の側面に形成された出口穴１２２とを有することができる。入口穴を、入口１１４に結合することができ、出口穴１２２を、出口１１６に結合することができる。
【００２１】
円筒形のカートリッジ開口１１７を、下側円筒形カートリッジと整列させることができ、タブ・スロット１１９を、下側円筒形カートリッジの側面上のタブと整列させることができる。タブ・スロット１１９は、カートリッジ開口１１７の側面を下に延びる垂直スロットとすることができる。タブ・スロット１１９は、カートリッジ開口１１７の下側内径部分に沿って延びる円形スロット１２０と交差することができる。芳香カートリッジがカートリッジ・ソケット１１７内に完全に挿入された後に、芳香カートリッジは、ソケット１１７内で軸方向に回転され得、その結果、タブが、円形スロット１２０にはまり、もはやタブ・スロット１１９と整列されなくなる。タブをタブ・スロット１１９からオフセットすることによって、芳香カートリッジを、カセット・マトリックス１１５内に固定することができる。タブおよびタブ・スロット１１９は、芳香カートリッジをカートリッジ・ソケット１１７に固定する機構を提供することができる。芳香カートリッジがカートリッジ・ソケット１１７内に配置された時に、カートリッジ・タブを、タブ・スロット１１９内に配置することができる。
【００２２】
図８は、芳香カートリッジ１０１をカートリッジ・ソケット１１７内に位置決めされたカセット・マトリックス１１５の上面透視図を示す。図示の実施形態では、カートリッジ１０１は、タブがタブ・スロット内で整列され、その後、完全に挿入された後に９０°回転されて、カートリッジ・ソケット１１７内に挿入されている。図９は、カートリッジ１０１がソケット開口１１７の上に位置決めされた、カセット・マトリックス１１５の側面透視図を示す。カートリッジ１０１がソケット開口１１７に挿入される時に、タブ１０８は、タブ・スロット１１９と整列される。カートリッジ１０１は、カセット・マトリックス１１５内で交換可能である。完全に挿入された位置で、各カートリッジ・ソケット１１７の底部の入口１１４および出口１１６は、入口１１４と出口１１６との間で中央ディバイダ（図２の１０６）を有するカートリッジの底部を用いて形成されるスロット（図１の１０３）に隣接する。
【００２３】
議論されるように、各カートリッジ１０１は、デジタル・アロマ・システムがカセット・マトリックス内の位置に関わりなくターゲット芳香カートリッジ１０１に空気を正しく向けることができるように、芳香を識別する識別情報を含むことができる。たとえば、一実施形態では、各芳香カートリッジ１０１は、ｒａｄｉｏ  ｆｒｅｑｕｅｎｃｙ  ｉｄｅｎｔｉｆｉｃａｔｉｏｎ（ＲＦＩＤ）タグ２４１を含むことができ、カセット・マトリックス１１５は、ＲＦＩＤリーダーを含むことができる。ＲＦＩＤタグ２４１は、芳香識別、複数の芳香分散、およびカートリッジ識別コードを送信することができる。ＲＦＩＤリーダー２４３は、芳香カートリッジ１０１上のＲＦＩＤタグ２４１から識別情報を、およびシステムによって使用され得る追加のカートリッジ情報を読み取ることができる。たとえば、システムは、システム出力に芳香を表示し、空気を正しい芳香カートリッジ１０１に向ける。
【００２４】
芳香カートリッジを有するカセットを、様々なデジタル・アロマ・システム・アセンブリと共に使用することができる。図１０は、一体化されたデジタル芳香システム１２１およびユーザ・インターフェース１２２を有する自動車３０６の実施形態の側面図を示す。デジタル芳香システム１２１を、自動車３０６のダッシュボード・エリア内に一体化することができる。ユーザ・インターフェース１２２は、タッチ・スクリーンまたは入力ボタンを有するビジュアル・ディスプレイなどのビジュアル・ディスプレイ出力を有する入力デバイスとすることができる。他の実施形態では、ユーザ・インターフェース１２２は、デジタル芳香システム１２１と有線または無線で通信しているスマート・フォンまたはタブレット・コンピュータなどのモバイル・コンピューティング・デバイス上に表示され得る。
【００２５】
図１１は、デジタル芳香システムの入力を含むユーザ・インターフェース１２２の図を示す。一実施形態では、ユーザ・インターフェース１２２は、デジタル芳香システムと通信できるタッチ・スクリーン１２４に表示され得る。この例では、ユーザ・インターフェース１２２は、吐き気レベルの入力を表示することができ、乗客は、現在のまたは予想される吐き気に対応するボタンを押すことができる。ユーザ・インターフェース１２２は、周期的にまたは吐き気をもたらし得る曲がりくねった道などの乗車条件に応答して、乗客の吐き気レベルを尋ねるためにビジュアル・ディスプレイを切り替えることができる。乗客は、対応する吐き気レベルボタンを押すことによって吐き気レベルを示すことができる。ユーザ・インターフェース１２２は、吐き気信号をデジタル芳香システムに送信することができ、デジタル芳香システムは、吐き気レベルに比例することのできる吐き気抑制芳香を放つことによって応答することができる。
【００２６】
図示の例では、ユーザ・インターフェース１２２は、０から５までの範囲にわたる吐き気レベル入力を有することができる。しかし、他の実施形態では、吐き気レベルが、レベルの任意の他の範囲を有することができる。吐き気レベル０では、症状がなく４２１、吐き気レベル１では、乗客が、あくびを始め、掌が湿っぽく、頭がくらくらする可能性がある４２３。吐き気レベル２では、乗客は、げっぷを始め、無気力になり、めまいを感じる可能性がある４２５。吐き気レベル３では、乗客は、胃がねじれまたはむかつくと感じ、眠気を感じ、唾液が出始める可能性がある４２７。吐き気レベル４では、乗客は、嘔吐寸前になり、頭が混乱し、消耗し、失見当識になる可能性がある４２９。吐き気レベル５では、乗客は、嘔吐を開始し、頭が激しく混乱し、極端な発汗を経験している可能性がある４３１。この例では、ユーザが、吐き気レベル０をタッチする場合に、デジタル芳香システムは、その現在の動作を維持し、吐き気抑制芳香を放たない。
【００２７】
他の実施形態では、ユーザ・インターフェース１２２は、吐き気レベルがどれほどかを乗客に尋ねるオーディオ出力を発することができ、乗客の応答は、乗客（１人または複数）からの音声入力を検出できるマイクロホンによって検出され得る。ユーザ・インターフェース１２２は、音楽などのオーディオ・プログラムの音量を周期的に下げ、乗客に吐き気レベルを尋ねることができる。乗客は、吐き気レベルを示し、ユーザ・インターフェース１２２は、乗客の音声を解釈し、乗客の吐き気レベルを判定することができる。ユーザ・インターフェース１２２は、吐き気信号をデジタル芳香システムに送信することができ、デジタル芳香システムは、吐き気レベルに比例するものとすることのできる吐き気抑制芳香を放つことによって応答することができる。
【００２８】
図１２は、システム構成要素を介する気流経路を示す、車両と共に使用されるデジタル・アロマ・システム１２３の実施形態を示す。芳香カートリッジ１０１を有するカセット１１５を、空気入口１２５に隣接して取り付けることができる。芳香カートリッジ１０１は、それぞれ、乾燥芳香を染み込まされた基質１１３を充てんされ得る。個別に制御されるマイクロ・ファン１３１を、デジタル・アロマ・システム１２３内でカセット１１５に隣接して取り付けることができる。マイクロ・ファン１３１は、マイクロ・ファン１３１を選択的に作動させ、芳香カートリッジ１１５ごとに別々の気流経路またはチャネルを含むことのできるマニホルド１３３に香り付けされた空気を向けるプロセッサに結合され得る。マニホルド１３３内の芳香カートリッジごとに別々の気流経路を有することによって、芳香カートリッジ１０１からの異なる香り付けの汚染および／または混合がなくなる。香り付けされた空気は、空気出口１２９を出、コントローラ１２１のユーザ・ホルダに向かって向けられる。この構成では、マイクロ・ファン１３１は、低い気圧を作り、これが、芳香カートリッジ１０１を通して空気を引っ張る。一実施形態では、マイクロ・ファン１３１は、マニホルド１３３がカセットとマイクロ・ファン１３１との間になるように、香り付けされた空気出口１２９に配置され得る。他の実施形態では、マイクロ・ファンは、芳香カートリッジ１０１を介して空気を押す、より高い気圧を作成するためにカセットの前に位置決めされ得る。したがって、マイクロ・ファン１３１は、真空を作成し、カートリッジ１０１を通して空気を吸い、その後にマニホルドを介して空気を押す、様々な異なる位置に配置され得る。異なる実施形態では、ファン１３１を、マイクロ・ポンプによって置換することができる。
【００２９】
図１３は、カセット・スロット１２７およびマイクロ・ファン１３１を含む一体化されたデジタル・アロマ・システム１２３を有する車両の内部表面１２１の実施形態の図を示す。デジタル・アロマ・システム１２３を使用するために、芳香カートリッジ１０１を充てんされたカセット１１０を、カセット・スロット１２７に挿入することができる。ファン１３１は、カセット１１０およびマニホルドの前に配置される。デジタル・アロマ・システム１２３が、香り付けを解放するように作動される時に、ファン１３１の１つ（または複数）が作動され、指定された芳香を含むカートリッジ１０１を通って空気を押す高圧を作成する。ファン１３１によって生成された気流は、マニホルドを介してコントローラ１２１のユーザに向かって香り付けされた空気を吹く。
【００３０】
図１４は、車両の内部表面１２１の別の実施形態の図を示す。この実施形態では、マイクロ・ファン１３１は、カセット・スロット１２７に対して相対的に下流の位置に取り付けられる。この構成では、カセット・スロット１２７を、空気入口１２５に隣接させることができる。デジタル・アロマ・システム１２３が、香り付けを解放するように作動される時に、ファン１３１のうちの１つが作動され、マニホルドを介してコントローラ１２１のユーザに向かって香り付けされた空気を吹くように、指定された芳香を含むカートリッジ１０１を通って空気を引く真空を作成する。
【００３１】
一実施形態では、吐き気抑制デジタル・アロマ・システムを、車両に乗る乗客によって身に着けられる別々のユニットとして使用することができる。図１５は、一体化されたデジタル・アロマ・システム１２３を含むヘッドセット１３５を示す。この実施形態では、サウンドを放つスピーカを含むことのできるイヤ・カップ１３７と音声コマンドを受け取るのに使用されるマイクロホンを含むマウスピース１４３とを含むヘッドセット１３５。図示の構成では、交換可能な吐き気抑制芳香カートリッジを有するカセット、ファン、およびチェック・バルブを含むデジタル・アロマ・システム１４５構成要素のほとんどが、イヤ・カップ１３７の一方に取り付けられ得る。空気通路１３９を、アーム内に作ることができ、このアームは、イヤ・カップ１３７から口まで延びる。デジタル・アロマ・システム１４５が、香り付けを解放するように作動される時に、ファンの１つが作動され、芳香カートリッジを介して空気を向け、香り付けされた空気を、空気通路を介してヘッドセット１３５を身に着けたユーザの鼻に向かって吹く。一実施形態では、ユーザは、「レベル２」、「レベル５」、「最大の吐き気抑制芳香を放出してください」などの音声入力を用いて吐き気レベルをシステムに知らせることができる。システムは、ユーザのオーディオ入力を解釈することができ、システムは、対応する芳香を放つことができる。このシステムは、乗物酔になりやすい乗客に特に有用である可能性がある。このシステムは、システム・ユーザを快適にするのを助けることのできるオーディオ信号を放つこともできる。たとえば、システムは、ユーザの入力吐き気レベルに基づくデフォルト・オーディオ出力を有することができる。一実施形態では、ユーザは、リラックスさせる音楽またはバイノーラル・トーンなどのオーディオ信号を出力するようにシステムを構成することができる。バイノーラル・ビート・セラピは、左右の耳が２つのわずかに異なる周波数トーンを聞くがそのトーンを１つとして知覚する、音波セラピの新生の形態である。人が聞くバイノーラル聴覚ビートは、左右の耳の間の周波数の差であり、脳がバイノーラル・ビートを検出するために１０００ヘルツ（Ｈｚ）未満の周波数でなければならない。たとえば、左耳が２００Ｈｚのトーン、右耳が２１０Ｈｚのトーンを銘記する場合に、聞かれれるバイノーラル・ビートは、この２つの周波数の間の差すなわち１０Ｈｚである。
【００３２】
ヘッドセット・システムと共に使用されるデジタル・アロマ・システム１４５の実施形態の構成の詳細を、図１６に示す。この実施形態では、デジタル・アロマ・システム１４５は、カートリッジ１０１の入口側が周囲空気に露出されている、ヘッドセットのイヤ・カップの外側表面の周囲のカートリッジ穴１４７に個別に配置され得る芳香カートリッジ１０１を含むことができる。したがって、この実施形態では、デジタル・アロマ・システム１４５は、カセットを含まないものとすることができる。ユーザは、個々の芳香カートリッジ１０１のそれぞれに簡単にアクセスし、交換することができる。空気通路１３９は、芳香カートリッジ１０１のそれぞれを対応するファン１３１に接続することができ、ファン１３１は、香り付けされた空気をイヤ・カップ１３７の外縁から内側円１４９へ、その後に空気通路１３９を介してノズル出口１４１へ吹くことができる。芳香がユーザに配送される時に、マイクロ・ファン１３１が作動され、このマイクロ・ファン１３１は、ヘッドセット１３５のイヤ・カップ１３７の内部体積１５３に空気を引き込む。この空気の移動が、芳香カートリッジ１０１を介して新鮮な周囲空気を引き込む。その後、香り付けされた空気は、空気通路１３９を介して、ヘッドセット装着者の顔に隣接する出口ノズルを出て向けられる。デジタル・アロマ・システム１４５の通路内  と共に  配置されるのが、他の芳香経路への香り付けされた空気の逆流を防ぎ、芳香カートリッジ１０１および芳香を染み込まされた基質を純粋に保ち、芳香汚染から守る、小さいチェック弁１５１である。
【００３３】
他の実施形態では、デジタル芳香システムは、タブレットおよびスマート・フォンなどの様々な他のポータブル・コンピューティング・デバイスに取り付けられ得る。図１７は、タブレット・コンピュータ１５７の背面に取り付けられたデジタル・アロマ・システム１５５の側面図を示し、図１８は、スマートフォン１５９の背面に取り付けられたデジタル・アロマ・システム１５５の側面図を示す。この実施形態では、デジタル芳香システムは、車両と独立とすることもできる。モバイル・コンピューティング・デバイスは、マイクロホンおよびタッチ・スクリーンなどの一体化された入力を有することができる。動作の基本的な形で、システムは、ユーザ入力に応答し、吐き気レベルに比例する体積の吐き気抑制方向を放つモバイル・アプリケーションを走行させることができる。モバイル・コンピューティング・デバイスは、加速度計、ジャイロスコープ、ＧＰＳ、マップ、カメラ、その他などの動きセンサを有することができ、これらのセンサは、高速回転、高い求心力、曲がりくねった道、交通、加速／減速力、その他などの可能な吐き気条件を予測するためにモバイル・アプリケーションと相互作用することができる。モバイル・アプリケーションは、所定のレベルを超える回転および／または求心力と回転または求心力の持続時間とを検出することができ、吐き気抑制を放つことによって応答することができる。
【００３４】
吐き気が発生する可能性が高い時にシステムによって放たれる吐き気抑制芳香の体積は、回転または加速度の強さおよび回転または加速度の持続時間に比例するものとすることができる。たとえば、システムが、３０秒と１分との間の時間期間にわたって０．０５Ｇ〜０．１Ｇの求心力を検出する場合に、システムは、レベル１体積の吐き気抑制芳香を放つことによって応答することができる。システムが、１分と２分のとの間の時間期間にわたって０．１Ｇ〜０．２Ｇの求心力を検出する場合に、システムは、レベル２体積の吐き気抑制芳香を放つことによって応答することができる。システムが、２分と５分のとの間の時間期間にわたって０．２Ｇ〜０．３Ｇの求心力を検出する場合に、システムは、レベル３体積の吐き気抑制芳香を放つことによって応答することができる。システムは、より高い回転力または加速力および回転または加速の持続時間に伴って吐き気抑制芳香の量をエスカレートさせることができる。
【００３５】
いくつかの研究が、人間は波動の特定の周波数に、より影響されることを示した。たとえば、被験者が、０．２秒、０．７秒、１．１秒、および１．６秒を含む上下の一定速度の動きの一連の異なる周期にさらされる時である。試験結果は、短い持続時間の動きが、非常に軽い乗物酔をもたらすことを示した。０．７秒または１．６秒継続した動きは、より強い乗物酔をもたらし、１．１秒継続した動きは、被験者に最強の乗物酔を生じた。一実施形態では、システムは、上で説明したユーザの示す乗物酔の動きの周波数を判定することができる。システムは、検出されたおよび／または予測された移動する車両の周波数に基づいて乗物酔の尤度を予測することができる。
【００３６】
デジタル・アロマ・システム１５５は、カセットとファンまたはポンプおよびチェック弁を含むことのできるマニホルドとに取り外し可能に取り付けられる交換可能な芳香カートリッジを含むことができる。デジタル・アロマ・システム１５５は、香り付けされた空気をタブレット・コンピュータ１５７またはスマート・フォン１５９の下端に隣接する空気出口に向けるように構成され得る。しかし、タブレット・コンピュータ１５７およびスマート・フォン１５９は、加速度計を用いてスクリーンの方位を検出し、表示される画像が直立状態になるように表示される画像を調整することができる。いくつかの実施形態で、デジタル・アロマ・システム１５５は、デジタル・アロマ・システム１５５の方位にかかわりなく、常にコンピューティング・デバイスの下端から香り付けされた空気を放つように空気出力を調整することができる。一実施形態では、デジタル・アロマ・システム１５５は、通常は芳香カートリッジを介して、タブレット・コンピュータ１５７の下端を出るように新鮮な空気を引っ張るファンを含むことができる。しかし、デジタル・アロマ・システム１５５は、タブレット・コンピュータ１５７またはスマート・フォン１５９が逆さまに回転された時を検出することもできる。この方位変化が検出される時に、ファンは、新しい最上部からタブレット・コンピュータ１５７の新しい最下部へ新鮮な空気を押すように気流を逆に動作させるように制御され得る。
【００３７】
異なる実施形態では、デジタル・アロマ・システムと共に使用される芳香カートリッジは、芳香カートリッジの同一の側面に空気入口および香り付けされた空気出口を有するように構成され得る。図１９を参照すると、芳香カートリッジ１６２の全般的に立方体形状のハウジング１６３の実施形態の上面断面図があり、芳香カートリッジ１６２は、芳香を染み込まされた基質１１３を少なくとも部分的に充てんされている。芳香カートリッジ１６２は、ハウジング１６３の幅の中央を横切って延びるディバイダ１６７を含む。図２０は、下側円筒形部分および上側半球形部分を有する芳香カートリッジ１６２の弾丸形状ハウジング１６４実施形態の上面断面図である。芳香カートリッジ１６２は、ハウジング１６３の幅を横切って延びるディバイダ１６７を有することができる。
【００３８】
図２１は、芳香カートリッジ１６２の全般的に立方体形状のハウジング１６３の横断面図を示し、矢印は、ハウジング１６３の下側表面１０５内の空気入口穴を通る空気の流れ経路を示し、空気は、乾燥芳香基質１１３と混合する。芳香粒子は、空気と混合し、上に移動し、ディバイダ１６７の上側部分内の小さい穴を通り、ディバイダ１６７は、形状において平坦であり、長方形とすることができる。芳香基質１１３は、ディバイダ１６７の開口部より大きいものとすることができ、その結果、芳香基質１１３は、芳香カートリッジ１６２の入口側から芳香カートリッジ１６２の出口側に移動しなくなる。空気は、芳香カートリッジ１６２の反対側に下に移動し、ハウジング１６３の下側表面１０５内の空気出口穴を介して出る。
【００３９】
図２２に示された実施形態では、芳香カートリッジ１６４は、下側円筒形形状ハウジングおよび上側半球形形状ハウジングを有する弾丸形状ハウジングを有することができる。ディバイダ１６７は、ハウジング１６５の下側表面に対して位置決めされ、ディバイダ１６７の上の通路を提供する。矢印は、下側表面１０５の下部の空気入口穴を通る空気の流れ経路を示し、空気は、芳香基質１１３と混合し、ディバイダの片側で上に移動し、ディバイダ１６７の上側部分内のスロットを通る。その後、空気は、芳香カートリッジ１６４の反対側を下に移動し、芳香基質１１３と混合し、ハウジング１６４の下側表面１０５内の空気出口穴を通って戻って移動する。
【００４０】
新鮮な空気と混合され、芳香システムによって放たれる基質１１３からの芳香は、トップ・ノート、ミドル・ノート、およびベース・ノートを含む異なる芳香成分を含むことができる。トップ・ノートは、すばやく消散することのできる最小の芳香分子を含むことができる。ミドル・ノートは、トップ・ノートより長く残ることができ、トップ・ノート分子より遅く消散することができる、中間サイズの芳香分子を含むことができる。ベース・ノートは、最も遅く消散することができ、ミドル・ノートより長く残ることのできる、より大きい芳香分子を含むことができる。ベース芳香分子は、ミドル・ノート芳香分子より大きく、ミドル・ノート芳香分子は、トップ・ノート芳香分子より大きい。
【００４１】
議論したように、芳香カートリッジ１６２は、カートリッジ・ハウジング内に乾燥芳香ビーズおよび追加の空気空間を含むことのできるシールされたハウジングを有することができる。芳香カートリッジ１６２の内部体積を基質１１３で完全に充てんするのではなく、これらのシールされたカートリッジ設計は、追加の空気空間を有し、その結果、芳香のベース・ノートが、各拡散の前にカートリッジ１６２内に存在する空気分子に染み込み、その結果、ベース・ノートが、気流が始まる時に空気に展開されるようになっている。トップ・ノート分子およびミドル・ノート分子と比較したベース・ノート芳香分子のより大きい質量のゆえに、ベース・ノート芳香分子は、カートリッジ１６２内の空気に染み込むのにより長い時間を必要とする。カートリッジ１６２が、乾燥芳香ビーズ基質１１３によって完全に充てんされる場合に、ベース・ノート芳香分子は、カートリッジ空間に正しく分散しない。最適のベース・ノート芳香分子染み込みのための乾燥芳香ビーズに対する空気空間の体積比は、芳香のタイプに依存する可能性がある。芳香カートリッジがシトラス香り付けである実施形態では、空気に対するビーズの比率を、体積の７５％または７０％から８０％までとすることができ、残りの体積は、空気空間によって占められる。対照的に、たばこなどのより密なまたはより重い芳香は、体積で乾燥芳香ビーズ基質１１３の２５％または２０％から３０％までおよび残りの空気の体積のみを必要とする可能性がある。空気体積に対するこれらの乾燥芳香ビーズの比率は、香り付けされた空気の流れがカートリッジ１６２を通って送られる前にカートリッジ１６２内の空気のたばこ香り付け染み込みなどのベース・ノート芳香分子の正しい展開を保証するために要求される可能性がある。
【００４２】
カートリッジが、同一の下側表面上に空気入口および香り付けされた空気出口を有するので、カートリッジは、空気入口経路と香り付けされた空気出口経路との両方を有するマニホルドに対してカートリッジを保持するカセット内に取り付けられ得る。図２３は、個々の芳香カートリッジ１６２を保持する開口部１７１を有するカセット１６９の実施形態の底面透視図を示す。芳香カートリッジ１６２は、カセット１６９に挿入され、またはこれから交換される。上で議論したように、芳香カートリッジ１６２の香り付けされていない新鮮な空気入口１７３および香り付けされた空気出口１７５は、カートリッジ１６２の同一の平坦な側面表面上にあるものとすることができる。したがって、カセット１６９は、空気がカセット１６９を通って流れないので、１側面を除いて閉じられ得る。
【００４３】
図２４を参照すると、カセット１６９およびマニホルド・モジュール１７７の実施形態の透視図が示されている。カセット１６９は、直立位置にあり、中実の上面を示す。芳香カートリッジの空気入口および香り付けされた空気出口は、カセット１６９の下側表面に露出されている。マニホルド・モジュール１７７は、カセット１６９の外周に対応する凹窩１８３を有することができる。マニホルド・モジュール１７７は、芳香カートリッジに接続される内部空気通路をも有することができる。この実施形態では、マニホルド・モジュールは、新鮮な空気出口穴１７９の行および香り付けされた空気入口穴１８１の行を有する。カセット１６９は、凹窩１８３内に配置され、解放可能な結合機構を用いてマニホルド・モジュール１７７に保持され得る。気密ガスケットなどの気体シールを、芳香カートリッジとマニホルド・モジュール１７７との間に配置して、異なる芳香カートリッジを分離し、新鮮な空気出口穴１７９および空気入口穴１８１を密閉することができる。マニホルド・モジュール１７７の横表面は、横穴１８５を有し、この横穴１８５は、マニホルド・モジュール１７７内の内部通路、新鮮な空気出口穴１７９、および空気入口穴１８１に接続され得る。
【００４４】
図２５を参照すると、マニホルド・モジュール１７７およびカセット・アセンブリの異なる実施形態の分解図が示されている。この実施形態では、アセンブリは、複数の芳香カートリッジ２０１を囲むカセット室１９９を含むことができる。異なる芳香を染み込まされた基質を、カセット室１９９内の芳香カートリッジ２０１のそれぞれに配置することができる。カセット・ガスケット・シール１９７を、カセット室１９９とマニホルド・モジュール１７７との間に配置して、空気が異なる芳香カートリッジ２０１の間またはカセット室１９９の上および横から流れるのを防ぐことができる。カセット室１９９および芳香カートリッジ２０１を含むカセット・アセンブリは、カセット・アセンブリ構成要素を通って延びるロッキング・ピン２０７を用いてマニホルド・モジュール１７７に保持される。ロッキング・ピン２０７は、気密アセンブリを作成するカセット室１９９とマニホルド・モジュール１７７との間のガスケット１９７を圧縮するように回転され、マニホルド・モジュール１７７に締め付けられ得るねじ付きの端部を有することができる。隣接するマニホルド・モジュール１７７がお互いに固定される時に、マニホルド・ガスケット２０９をマニホルド・モジュール１７７の間に配置して、整列され結合される横空気穴の気密シールを作成することができる。
【００４５】
図２６を参照すると、マニホルド・モジュール１７７の長さに沿って延びる新鮮な空気出口１７９に接続された長さ経路１９１を含む内部経路を示すマニホルド・モジュール１７７の実施形態の上面図。内部経路は、幅経路１８９のそれぞれが香り付けされた空気入口１８１に結合される、マニホルド・モジュール１７７の幅に沿って延びる平行な幅経路１８９をも含む。長さ経路１９１は、幅経路１８９から垂直にオフセットされ、その結果、これらは接続されなくなる。マニホルド・モジュール１７７は、一方の縁でモジュール１７７の幅を通って延びる入口空気通路２１５と、別の縁でモジュール１７７の長さに沿って延びる出口香り付け通路２１７とをも含むことができる。入口弁（図示せず）を長さ経路１９１に結合することができ、出口弁を幅経路に結合することができる。開くように作動される時に、入口弁は、長さ経路１９１を入口空気通路２１５に接続することができ、出口弁は、幅経路を出口香り付け通路２１７に接続することができる。複数のモジュール１７７が接続される時に、入口空気通路２１５を、アセンブリの幅全体にまたがって延びる、より長い入口空気通路を形成するように接続することができる。対照的に、複数のモジュール１７７が接続される時に、システムは、端のモジュール１７７の出口香り付け通路２１７だけを使用し、他のモジュール１７７の出口香り付け通路２１７を未使用にすることができる。
【００４６】
図２７を参照すると、モジュール１７７に取り付けられた複数のマニホルド・カセット１６９を有するデジタル・アロマ・システム１９３を、より大きいデジタル芳香システムを形成するように整列された横穴１８５を用いて一緒に結合することができる。横穴１８５を隣接するマニホルド・モジュール１７７の横穴１８５に接続し、密閉することによって、デジタル芳香システムを、任意の個数の芳香カートリッジを含むように拡張することができる。図示の例では、６つのマニホルド・モジュール１７７があり、マニホルド・モジュール１７７のそれぞれは、５つの芳香カートリッジを含む。この例では、図示のデジタル・アロマ・システム・アセンブリ１９３は、合計３０個の芳香カートリッジを含むことができる。
【００４７】
図２８を参照すると、デジタル・アロマ・システム１９３は、複数の入口弁２１１を有することができる  マニホルド・モジュール１７７のそれぞれの一端上の入口空気通路に結合され得る。複数の出口弁２１３を、端マニホルド・モジュール１７７のうちの１つの出口香り付け通路に結合することができ、出口香り付け通路の反対の端は、空気が逃げるのを防ぐために密閉され得る。空気を、入口弁２１１および出口弁２１３の開位置／閉位置を制御することによって、デジタル芳香システムを介して任意の個々の芳香カートリッジに向けることができる。複数のマニホルド・モジュールから形成されたデジタル・アロマ・システム１９３は、内部通路のアレイを有することができ、この内部通路は、新鮮な空気入口１７９、香り付けされた空気出口１８１、入口弁２１１、および出口弁２１３に結合され得る。入口弁２１１および出口弁２１３は、香り付けされた空気出口経路を制御するために開閉される。１つの入口弁２１１および１つの出口弁２１３を作動させ（開き）、すべての他の入口弁２１１および出口弁２１３を閉じた状態に保つことによって、特定の芳香カートリッジへの通路を、デジタル・アロマ・システムによって選択することができる。
【００４８】
図２９は、明瞭さのために９つの芳香カートリッジ空間を用いて構成されたデジタル・アロマ・システム１９３の単純化された実施形態の上面図を示す。各カートリッジ空間は、新鮮な空気入口１７９および香り付けされた空気出口１８１を含む。一実施形態では、ファンまたはポンプからの加圧された空気を、入口空気通路２１５に適用することができる。入口弁２１１のうちの１つが作動される時に、加圧された空気は、単一のカセット上の芳香カートリッジの選択された行の対応する長さ通路を通って流れることができる。出口弁２１３のうちの１つが開かれる時に、空気は、芳香カートリッジを通って流れることができ、香り付けされた空気が、出力通路２１７に流れることができる。単純化されたデジタル・アロマ・システム１９３から、香り付けされた空気を、システム・ユーザの鼻に向けることができる。代替実施形態では、ファンまたはポンプからの真空または低圧を、出口香り付け通路２１７に適用することができる。入口弁２１１のうちの１つが開かれる時に、空気を、マニホルド・モジュール１７７上の対応する長さ通路に沿って引き寄せまたは引っ張ることができる。空気は、ファンまたはポンプを介して芳香カートリッジのうちの１つを通って出口通路２１７に流れ、システム・ユーザの鼻に向けられ得る。弁は、香り付け解放信号またはトリガに応答してシステム・プロセッサによって制御される弁コントローラ（１つまたは複数）によって作動され得る。デジタル・アロマ・システム１９３内に貯えられた各個々の芳香を、１つの入口弁および／または１つの出口弁の組合せを作動させることによって出力することができる。いくつかの実施形態では、複数の芳香を混合することが望ましい可能性があり、これは、複数の芳香カートリッジへの弁を開くことによって実行され得る。
【００４９】
図３０は、Ｉ／Ｏ  ２１９、トリガ入力２２１、センサ入力２２３、システム・モニタ・センサ２２５、プロセッサ２２７、香り付けデータベース２２９、システム・モニタ・センサ２２５、プロセッサ２２７、香り付けデータベース２２９、システム出力２３１、弁コントローラ２３３、弁２３７、ファン／ポンプ・コントローラ２３９、およびファン／ポンプ２３９を含むことのできるデジタル・アロマ・システムの可能な構成要素のブロック図を示す。Ｉ／Ｏ  ２１９は、デジタル・アロマ・システムと他のメディア・デバイス、サーバ、スマート・フォン、サーバ、他のデジタル・アロマ・システム、および他のコンピューティング・デバイスとの間の通信を可能にするトランシーバとすることができる。一実施形態では、Ｉ／Ｏ  ２１９は、芳香を解放する制御信号を提供することのできる他のデバイスとの、ＢｌｕｅＴｏｏｔｈ、Ｗｉ−Ｆｉ、ＲＦＩＤ、または同様の技術を介するシステム通信をワイヤレスに提供することができる。トリガ入力２２１は、コントローラ、ユーザ・インターフェース、その他などの吐き気入力デバイスからの制御信号の入力である。一実施形態では、トリガ入力２２１は、芳香を解放する制御信号を提供することのできる他のデバイスとの、ＢｌｕｅＴｏｏｔｈ、Ｗｉ−Ｆｉ、ＲＦＩＤ、または同様の技術を介するシステム通信をワイヤレスに提供することができる。
【００５０】
デジタル・アロマ・システムは、使用される時に、スタートアップ手順を経験することができ、このスタートアップ手順は、システム内に貯えられた各芳香カートリッジを識別する。議論したように、芳香カートリッジは、システム・モニタ・センサ２２５によって読み取られる識別システムを有することができる。たとえば、一実施形態で、複数の芳香カートリッジのそれぞれが、乾燥芳香カートリッジの香り付けを識別するＲＦＩＤタグを含み、ＲＦＩＤリーダーが、芳香カートリッジのＲＦＩＤタグを読み取る。ＲＦＩＤリーダーを、システム・モニタ・センサ２２５とすることができる。デジタル・アロマ・システムは、ビジュアル・ディスプレイを含み、このビジュアル・ディスプレイは、乾燥芳香カートリッジの香り付けを表示するシステム出力２３１とすることができる。システムは、異なる芳香カートリッジを様々な芳香トリガにマッチングし、この情報を香り付けデータベース２２９に記憶することができる。システムは、対応するトリガがトリガ入力２２１によって検出されまたは他の信号がセンサ入力２２３の１つによって検出される時に、ターゲット芳香を放つことができる。
【００５１】
一実施形態では、デジタル・アロマ・システムは、異なる芳香を異なる形で分散させることができる。というのは、各異なる香り付けに関して、香り付けが空気と相互作用し、人間の嗅覚内で相互作用する特定の形があるからである。香り付けのこの相違の例は、シトラス・タイプ芳香とたばこタイプ芳香とを比較することによって示すことができる。シトラス・タイプ香り付け分子は、空気を通ってたばこタイプの芳香より高速で移動する。
【００５２】
グレアムの法則を使用して、レモンおよびたばこなどの異なる臭気分子の滲出率を比較することができる。グレアムの法則は、気体の拡散または滲出の速度が、その分子量の平方根に反比例すると述べる。理想的な条件の下では、レモンが、１０個の炭素原子、８つの水素原子、および単一の酸素原子から構成され、１５４．２５グラム毎モルのモル質量を与えるので、人はまずレモンのにおいを嗅ぐ（１モルは、約６＊１０＾２３個の個々の分子と同等の単位である）。その一方で、たばこは、９つの炭素原子、９つの水素原子、および１つの窒素原子を有し、合計１３１．１７グラム毎モルのモル質量になる。グレアムの法則は、レモン滲出の速度をたばこ滲出の速度で割ったものが、たばこのモル質量をレモンのモル質量で割ったものの平方根になると述べる。したがって、デジタル芳香システムのユーザは、レモン香り付け分子のより大きい質量に起因して、たばこ香り付けの前にレモン香り付けを嗅ぐ。この香り付け検出の差を補償するために、デジタル芳香システムは、分子量に基づいて芳香カートリッジを通る空気の流量を調整することができる。一実施形態では、芳香カートリッジを通る気流速度を、芳香分子の分子量に反比例するものとすることができる。たとえば、より低分子量の芳香の検出の速度を高めるために、より高い気流速度を使用することができる。
【００５３】
シトラス・タイプ香り付け分子は、人間の嗅覚系内で加速された香り付けタイミングを有する。人間の香りの感覚すなわち嗅覚は、化学受容の１形態であり、これは、人間の鼻が、化学信号を神経インパルスに変換することを意味する。人間の鼻は、約４００個の嗅覚受容器を有し、これらのそれぞれが、特定の分子特徴と結合する。臭気分子は、複数の特徴を有し、異なる受容器を異なる度合にトリガする。これらの刺激は、人間の脳が嗅覚受容器信号を解釈できる電気信号に変換される。レモン香り付けは、より低分子量の香り付けより高速に嗅覚受容器信号を脳に届かせる受容器をトリガする。
【００５４】
一実施形態では、芳香カートリッジを通る気流の持続時間を可変とし、芳香の強さまたは知覚された強さに基づくものとすることができる。より低い強度を有する芳香は、芳香カートリッジを通るより多くの気流を必要とする可能性があり、より高い強度の芳香より多くの気流を必要とする可能性がある。一実施形態では、芳香システムは、異なる芳香の強度値を判定し、記憶することができる。芳香システムは、芳香の強度または知覚された強度に基づいて芳香カートリッジを通る気流の持続時間を調整するように構成され得、より長い持続時間の気流はより弱い強度の芳香に関し、より短い持続時間の気流はより強い強度の芳香に関する。芳香強度は、経験的にまたは芳香分子の測定可能な化学特性に基づいて判定され得る。
【００５５】
一実施形態では、デジタル・アロマ・システムは、ＲＦＩＤリーダー２４３によって読み取られたＲＦＩＤタグ２４１上の識別データに基づいて、芳香カートリッジ１０１内の香り付けのタイプを認識するソフトウェア・アルゴリズムを含むことができる。芳香カートリッジ１０１内の芳香の分子量を知ることによって、デジタル・アロマ分散システムは、正しい適度な個数の乾燥芳香分子を、正しい気流を用いて要求される空間に展開することができる。すべての芳香カートリッジに同一の空気ポンプ流量および持続時間を適用することは、芳香受取人の不均一な芳香配送知覚をもたらす可能性がある。均一な芳香知覚を作成するために、本発明のデジタル・アロマ・システムは、分散される芳香に基づく可変気流制御を適用することができる。デジタル・アロマ・システムは、より高分子量の芳香に関して、より低い気流速度を使用することができ、より短い分散持続時間を使用することができる。
【００５６】
一実施形態では、気流速度および気流の持続時間を、異なる芳香カートリッジごとに構成することができ、その結果、芳香が、システム・ユーザによって均一に感知されるようになる。英単位系の試験または乾燥芳香分析が、これらの気流速度および気流の持続時間のセッティングを判定することができる。気流速度および気流の持続時間が判定された後に、この情報を、デジタル・アロマ・システムのメモリに記憶することができる。芳香カートリッジがデジタル・アロマ・システムに挿入される時に、システムは、ＲＦＩＤタグなどの識別情報から芳香を認識し、その後、芳香が要求される時に記憶された気流速度および気流の持続時間を適用することができる。
【００５７】
他の実施形態では、芳香カートリッジを、芳香カートリッジによって放たれる乾燥芳香粒子の個数に関して構成することができ、各芳香ビーズが均一な表面積を提供できるので、芳香カートリッジ内の乾燥芳香ビーズの個数に比例するものとすることができる。一実施形態では、芳香カートリッジ内の芳香ビーズの個数を、乾燥芳香粒子の分子量に比例するものとすることができ、その結果、知覚される芳香強度は、同一の均一な気流および持続時間の処理に基づいて、すべての芳香カートリッジに関して均一になる。より高分子量の芳香を、デジタル・アロマ・システムによって認識することができ、この芳香が要求される時に、芳香カートリッジ１０１を通る空気流量および／または持続時間を、より低分子量の芳香のそれより少なくすることができる。
【００５８】
一実施形態では、デジタル・アロマ・システムを、様々な空間と共に使用することができる。本発明の  一実施形態では、システムは、ＲＦＩＤタグ２４１に基づいて芳香カートリッジ１０１内の芳香のタイプを認識し、空間内で望まれる方向の低、中、および高強度に関して空気流速および間欠的調整を調整することができる。シトラスなどのより低分子量を有する芳香は、空間内に乾燥芳香を正しく分散させるのに、たばこなどのより高分子量の芳香より多くの気流を必要とする可能性がある。空間が大きい場合に、芳香分散の気流速度および持続時間を増やすことができる。対照的に、より小さい空間に関して、芳香分散の気流速度および持続時間を減らすことができる。
【００５９】
センサ入力２２３は、オーディオ信号を検出すマイクロホンまたはビデオ画像を検出できるカメラなど、周囲信号を検出するセンサとすることができる。システム・モニタ・センサ２２５は、デジタル・アロマ・システム構成要素に結合され、構成要素の動作を検出することができる。香り付けデータベース２２９は、芳香情報のリストを含むことができ、この情報は、芳香識別コード信号に基づく芳香およびその後に識別を、識別された芳香の解放を作動させるために開かれなければならない弁２３７とマッチングするのに使用され得る。システム出力２３１は、ビジュアル出力とすることができ、このビジュアル出力を使用して、システム・エラーまたはカートリッジ交換の必要についてシステム・ユーザに知らせることができる。弁コントローラ２３３は、プロセッサ２２７が弁２３７の動作を制御することを可能にする。ファン／ポンプ・コントローラ２３５を使用して、プロセッサ２２７がファン／ポンプの動作を制御することを可能にすることができる。説明されたデジタル・アロマ・システム構成要素は、プロセッサ２２７上で走行するソフトウェアを用いて実行され得る様々な機能アクションを実行するために連動して動作することができる。
【００６０】
いくつかの実施形態では、デジタル・アロマ・システムは、ビデオ媒体内のビデオ符号化された芳香マーカーを認識することができる。符号化された芳香マーカーは、ビデオ物体認識システムによって読み取られる特定の芳香を識別し、識別された芳香がユーザに配送されることをもたらすことができる。この特徴は、芳香に対応する画像が表示される前ににおいを提供する際に有用である可能性がある。たとえば、ビデオ内のカメラ視点が、火に接近しつつある場合がある。火からの煙が、カメラに向かって吹いている場合があり、カメラ位置の人が、火を見る前に煙を嗅ぐ場合がある。このシナリオを正確に再作成するために、ビデオ媒体は、煙の符号化された芳香マーカーを使用することができ、この符号化された芳香マーカーは、ビデオ物体認識システムによって検出される。ビデオ物体認識システムは、火がビデオに示される前に、煙の芳香を放つことができる。
【００６１】
たとえば、デジタル媒体は、アロマ出力信号を含むことができ、このアロマ出力信号は、ビデオ符号化された芳香マーカーとすることができ、媒体プレイヤは、プロセッサ２２７によって受信され得るトリガ入力２２１に香り付け出力信号（１つまたは複数）を送信することができる。アロマ出力信号は、アロマ識別を含むことができ、プロセッサ２２７は、香り付けデータベース２２９にアクセスして、対応する芳香カートリッジの位置と、識別された芳香カートリッジにアクセスするために開かれなければならない弁とを識別することができる。プロセッサ２２７は、弁コントローラ２３３に制御信号を送信することができ、弁コントローラ２３３は、識別された芳香カートリッジへの気流経路を開くために弁２３７を作動させる。
【００６２】
一実施形態では、トリガ入力を、Ｂｌｕｅｔｏｏｔｈ受信器または他のローカル通信デバイスなどのデバイスを介して短距離近接内で送信することができる。アロマ・システムを、ユーザによって持ち運ばれるスマート・フォンなどのモバイル・デバイスと共に使用することができる。ユーザが、博物館内で異なる展示に歩く時に、デジタル・アロマ・システムのトリガ入力２２１は、ユーザが歩く時に異なる展示からトリガ信号を検出することができ、アロマ・システムは、検出されたトリガ信号によって指令される香り付けを放つことができる。他の実施形態では、本発明を、博物館などの多数の異なる教育セッティングで使用して、媒体、ソフトウェア、保守、およびアロマを使用するコスト効率のよい知覚経験を提供することができる。
【００６３】
一実施形態では、センサ入力２２３をカメラとすることができ、プロセッサ２２７は、センサ入力２２３カメラからビデオ信号を受信するビデオ物体認識ソフトウェアを走行させ、曲がりくねった道または交通渋滞などの吐き気を誘導する可能性がある物体および／または環境を認識することができる。一実施形態では、ターゲット芳香を出力するためのデジタル・アロマ・システムの作動とユーザが芳香を嗅ぐこととの間に既知の時間遅れがある場合がある。ビデオ物体認識システムは、芳香ビデオ物体および／または環境トリガを識別し、トリガに関連する芳香を識別することができる。デジタル・アロマ・システムは、トリガ物体または環境が表示されるより既知の時間遅れ期間だけ前に、トリガに関連する芳香配送を作動させることができ、その結果、芳香は、トリガ物体または環境が表示されている瞬間に見る人に配送されるようになる。
【００６４】
一実施形態では、デジタル・アロマ・システムは、オーディオ・コマンドを認識し、オーディオ・コマンドに基づいて正しいアロマを分散させる、プロセッサ２２７上で走行するサウンド認識ソフトウェアと共に、正しいアロマをトリガされ得るセンサ入力２２３としてマイクロホンを使用することができる。オーディオ認識システムは、オーディオ信号を受信し、香り付けデータベース２２９を使用して、オーディオ信号に関連する芳香を識別することができる。オーディオ認識ソフトウェアを走行させるプロセッサ２２７は、弁２３７およびファン／ポンプ２３９を制御して、芳香配送を作動させることができる。
【００６５】
一実施形態では、デジタル・アロマ・システムは、インターネットへのＩ／Ｏ  ２１９を介してクラウド・サービスに通信することができる、ローカル・プロセッサ上で走行するソフトウェアを含むことができる。この通信能力は、カセットおよび芳香カートリッジ、使用の回数の持続時間のリモート監視のためにシステム・モニタ・センサ２２５と共に使用され得、システム構成要素が正しく働いていることを保証するためにポンプおよび／またはファンの健全性ならびにデジタル・アロマ・システムの健全性をリモート監視する。エラーまたは寿命の終りがシステム構成要素のいずれかで検出される場合に、デジタル・アロマ・システムのプロセッサ２２７は、何かが正しく働いていない時に、システム出力２３１を介してエラーを識別するアラートをユーザまたはシステム管理者に送る。システム出力２３１は、ビジュアル・ディスプレイ、オーディオ出力デバイス、および／またはデジタル・ワイヤレス通信出力とすることができる。
【００６６】
別の実施形態では、デジタル・アロマ・システムを、デジタル・アロマ・システムの周囲の空気空間内の乾燥芳香粒子の強度または濃度を測定できる芳香センサと共に使用することができる。図３０を参照すると、センサ入力２２３を芳香センサ（１つまたは複数）とすることができる。芳香の濃度を検出することによって、システムを、特定の範囲内の芳香濃度を維持するように構成することができる。図３１を参照すると、芳香濃度センサ３０８は、車両３０１内の芳香濃度を検出することができ、芳香システムは、システムが手動吐き気入力を受信するか、所定のしきい値を超える回転または加速度および持続時間に基づいて乗客吐き気を予測する時に、芳香放出ユニット・ベント３０５から乾燥芳香を放つように構成され得る。
【００６７】
異なる車両が、同一の道路上で同一の速度で移動する時に、異なる乗客加速度を有する可能性がある。たとえば、バスまたはバンの乗客は、車高の低いスポーツ・カーの乗客位置よりはるかに高い可能性がある。バスは、柔らかいサスペンションを有する可能性があり、これが、バスが角を曲がる時に車両にロール方向に回転させる。乗客の動きを正確に測定するために、動きセンサを、車両内で乗客と同一のまたは同様の位置に取り付けることができる。
【００６８】
本特許出願は、道路上を移動する車輪を有する、乗用車、バス、およびバンなどの車両としての本発明の吐き気抑制システムの使用を説明する。しかし、このセンサ・システム・ベースの吐き気予測システムを、列車、ヘリコプタ、航空機、ホバークラフト、ハイドロフォイル、ボート、フェリー、その他など、任意の他のタイプの非道路移動車両と共に使用することができる。車両ルートが既知である時に、システムは、ルートおよび既知の吐き気位置のデータベースに基づいて、可能な吐き気位置を予測することができる。システムは、気象条件を考慮に入れることもできる。たとえば、ボートおよび航空機は、これらの車両が嵐および悪天候を通過する時に、追加の動きを経験する。一実施形態では、システムは、現在の気象および予測された気象を入手し、この情報を使用して、あり得る吐き気位置を予測し、説明されるように乗客に吐き気抑制芳香を放つことができる。
【００６９】
芳香システムを、特定の乗客座席に吐き気抑制方向を向け、またはすべての車両乗客座席に均等に（または不均等に）吐き気抑制方向を分配するように構成することができる。一実施形態では、システムは、座席上の乗客の重量を検出できる座席センサを用いて、乗客の人数および位置を検出することができる。この情報に基づいて、システムは、芳香を節約するために、車両乗客だけに芳香を向けることができる。多くの旅に関して、唯一の乗客は運転者であり、システムは、芳香を節約するために運転者だけに芳香を向けることができる。車両の後部に座っている人が、乗物酔になりやすいことが周知である。一実施形態では、システムは、着座位置に基づいて吐き気抑制芳香を非対称に分配することができ、より多くの芳香が、後部座席に分配される。
【００７０】
一実施形態では、システムは、各乗客座席の上など、車両３０１内の複数の位置に配置された複数の芳香センサ３０８を用いて芳香の濃度分布を検出することができる。複数のセンサ３０８が使用される時に、センサ・ネットワークは、センサの検出された芳香濃度に基づいて、芳香放出パターンを決定することができる。この芳香情報を使用して、システムからの芳香出力を正しく向けて、車両内の乗客（単数または複数）に芳香を非対称に向けることができる。一実施形態では、システムは、車両内の各座席のそばに配置され得る近接センサ３０８などのセンサを用いて車両３０１内の人の位置を検出する。人が、座席のうちの１つまたは複数にいない時に、システムは、芳香放出ベント３０５からこれらの位置への芳香の放出を停止することができる。人が車両３０１に入る時に、システムは、人物または人を検出することができ、芳香放出ユニット３０５は、芳香を放つことができ、この芳香が、車両３０１内の人によって経験され得る。たとえば、システムは、シートベルト重量センサなどの座席内のセンサを使用することができる  乗客が座っている座席を識別するのに使用され得る。
【００７１】
システム芳香の濃度の検出に加えて、芳香センサ３０８を使用して、ユーザの吐き気に影響する可能性がある外部の匂いを検出することもできる。これらの外部の匂いは、排ガス、毒ガス（ＣＯ、一酸化炭素）、体臭、嘔吐、鼓腸、バイオマーカーなどを含むことができる。センサ・システムは、不快な匂いが検出される時に、芳香を放つことによって応答し、車両を通る気流を増やすように換気システムを制御することができる。
【００７２】
芳香センサ３０８は、化学センサなどのセンサ機構に基づくか、揮発性有機化合物に関する情報を提供するガス・クロマトグラフィによるものとすることができる。電子芳香センサ３０８は、検出システムおよびコンピューティング・システムを含むことができる。検出システムは、センサ・セットからなることができ、このセンサ・セットは、芳香粒子に接触し、電気特性の変化を生じることによって反応することができる。芳香センサは、すべての芳香分子に敏感とすることができるが、異なる芳香粒子を区別できる可能性がある。芳香センサは、接点上の揮発性化合物に反応するセンサ・アレイを使用することができ、センサ表面への揮発性化合物の吸着は、センサの物理的変化を引き起こす。特定の応答が、信号をデジタル値に変換する電子インターフェースによって記録される。記録されたデータは、統計モデルに基づいて計算される。一実施形態では、芳香センサは、金属酸化物半導体（ＭＯＳＦＥＴ）デバイスすなわち、電子信号の増幅またはスイッチングに使用されるトランジスタとすることができる。分子が、芳香センサに入ることができ、正または負のいずれかに帯電され、この帯電は、ＭＯＳＦＥＴ内部の電場に対する直接の影響を有する。したがって、各追加の帯電した粒子の導入は、独自の形でトランジスタに直接に影響し、パターン認識コンピュータ・システムによって解釈され得るＭＯＳＦＥＴ信号の変化を生じる。
【００７３】
本デジタル・アロマ・システム発明では、ユーザは、芳香カートリッジを簡単に変更でき、香り付け使用に応じて２〜３ヵ月おきにカートリッジを交換する必要だけがある可能性がある。一実施形態では、デジタル・アロマ・システムは、芳香カートリッジのそれぞれが使用される回数を監視することができる。カートリッジの寿命がその終りに達しようとしている時に、システムは、カートリッジを交換する必要があることをユーザに警告することができる。したがって、必要に応じて交換される必要があるカートリッジのみ。各乾燥芳香を染み込まされたビーズ入りのカートリッジの長命は、１０００〜４５００回の分散のどこかにある。他の実施形態では、より多くの芳香を染み込まされた基質材料を保持するより大きい室を有する芳香カートリッジは、より長持ちし、追加の芳香分散を提供することができる。
【００７４】
本デジタル・アロマ・システム発明は、消費者による芳香カートリッジの交換のしやすさという問題にも対処する。デジタル・アロマ・システムは、デジタル・アロマ・システムの単一のカセットを除去し、交換することによって、複数の芳香の同時スワップ・アウトを可能にする。カセットは、乾燥芳香を染み込まされた基質材料を含む６つ以上の個々の芳香カートリッジを含むことができる。他の実施形態では、カセットは、６つの芳香カートリッジに制限されない。たとえば、カセットは、単一の芳香カートリッジを保持することができ、他の実施形態では、カセットは、１０個から１２個以上の芳香カートリッジを保持する、カセット・システム内のカップリングを有することができる。さらに、消費者は、カセット内の各アロマ・カートリッジを単純に交換するかカセット全体を交換する  カセット・システム内の各個々のアロマ・カートリッジを変更することもできる。
【００７５】
デジタル・アロマ・システムは、複数の芳香カートリッジを保持するマニホルドを有するカセットを含むことができる。マニホルドは、球または他のばらの物体などの乾燥芳香を染み込まされた粒子を充てんされる中空ハウジングを有することのできる芳香カートリッジに結合される空気入口および香り付け出口を有する。カートリッジ・ハウジングは、カートリッジとマニホルドとの間の気密接続を提供できる、糸またはタブなどのカップリングを有することができる。カップリングは、ユーザが芳香カートリッジを交換しまたは変更することをも可能にする。カートリッジは、識別機構をも有することができ、この識別機構は、ｒａｄｉｏ  ｆｒｅｑｕｅｎｃｙ  ｉｄｅｎｔｉｆｉｃａｔｉｏｎタグなどの識別信号出力を提供する。識別信号出力は、カートリッジ内の芳香を識別し、カートリッジが提供できる芳香出力の個数を制御することができる。デジタル・アロマ・システムは、リーダーを有することができ、このリーダーは、カートリッジ内の芳香の識別を読み取り、この芳香およびカートリッジ位置情報を記憶することができ、その結果、所望の芳香が、デジタル・アロマ・システムによる放出のために制御され得るようになる。
【００７６】
異なる実施形態では、記載の芳香アロマ分散システムを、様々な異なるコンピュータ・インターフェースによって制御し、監視することができる。たとえば、一実施形態では、自動車内部が、複数の選択された香り付けを自動車内部に放つ、一体化されたハードウェア構成要素を有することができる。運転者または乗客は、芳香を選択することができ、この芳香は、空気システムに自動的に染み込まされ、この空気システムが、自動車の内部全体に香り付けを放つ。一実施形態では、運転経験をパーソナライズするために吐き気抑制芳香を含む５つまでの選択可能な芳香。他の実施形態では、任意の個数の芳香または芳香の組合せを選択することができる。香り付けカートリッジは、自動車ディーラーまたは消費者による交換のための使い易さを提供する。
【００７７】
一実施形態では、芳香システムは、接続された制御プラットフォームの構成要素とすることができ、接続された制御プラットフォームは、システムの動作を監視できるシステム・サーバと通信している１つまたは複数のデジタル・アロマ分散システムを含むことができる。デジタル・アロマ分散システムを監視することによって、制御プラットフォームは、効率的な芳香カートリッジ効率のためにインテリジェント在庫管理を実行することができる。一実施形態では、制御プラットフォームは、デジタル・アロマ分散システムのそれぞれの芳香カートリッジ使用情報を受信することによって、システム使用量を監視する。システム・サーバは、動作およびシステム使用量データを収集することができる。各芳香カートリッジの分散のレーティングされた回数を知ることによって、サーバは、個々のカートリッジを交換するように、芳香カートリッジの個々のシステム・ユーザにアラートを提供することができる。警告メッセージを、モバイル・スマート・フォンまたは車両上のディスプレイに送信することができる。
【００７８】
いくつかの実施形態で、サーバ監視システムは、設置されたシステムのいずれかの効率を改善するための提案を行うことさえできる。たとえば、単一のシステム内で特定のユーザによって、第１の芳香カートリッジが、毎日１０回の分散の平均レートで使用される場合があり、第２の芳香カートリッジが、毎日５回の分散の平均レートで使用される場合があり、総分散レーティングが３０００であると、サーバは、第１の芳香カートリッジが３００日もち、第２の芳香カートリッジが６００日もつと予測することができる。サーバは、芳香カートリッジが約１ヵ月または３０日の残りの分散を有する時に、システム・ユーザに電子警告信号を送信することができる。これらの警告は、時間ベースなので、残りの特定のパーセンテージ分散を示さない。
【００７９】
複数カートリッジ・システム内で単一の芳香カートリッジを交換することが不便である可能性がある。一実施形態では、サーバは、ヒストリカル・データに基づいて、ユーザが、他の芳香より頻繁に使用されるお気に入りの芳香を有すると判定し、お気に入りの芳香の複数のカートリッジをシステム内に配置するようにユーザに推奨することができる。システムは、２つの同一の芳香カートリッジの間で分散を交番させることができ、その結果、複数の芳香カートリッジを同一のまたは同様の速度で使い果たせるようになり、完全に使い果たされた時に、複数の芳香カートリッジを同時に交換することができる。同様に、低頻度の使用に基づいて、システムは、より人気のある芳香より経時的に分散のより低い速度のヒストリを有する、より人気の低い芳香の、より低容量の芳香カートリッジの使用を推奨することができ、したがって、複数の芳香カートリッジが、同時に交換を必要とする。
【００８０】
一実施形態では、芳香分散モジュールを、複数の芳香カートリッジと共に車両内に設置することができる。芳香分散モジュールは、制御システムを受信し、芳香カートリッジ情報をスマート・フォンおよび／またはダッシュボード内モバイル制御ユニットに送信することができる。車両の運転者または乗客は、スマート・フォンおよび／またはダッシュボード内モバイル制御ユニットと対話して、芳香分散モジュールの動作を制御することができる。スマート・フォンおよび／またはダッシュボード内モバイル制御ユニットは、多数の異なる芳香分散モジュールから情報を受信するサーバ、車両の運転者または乗客によって操作されるパーソナル・コンピュータおよびモバイル・コンピューティング・デバイス、ならびに他のコンピューティング・デバイスなど、車両からリモートの他のコンピューティング・デバイスと通信することができる。これらのシステム構成要素は、システムが最適に機能するようにするために、情報を共有することができる。
【００８１】
システム・サーバは、多数の設置された芳香分散システムのデータを収集するために、累積データ測定値を使用することもできる。このデータは、地域、ユーザ情報、季節、温度、国、または任意の他の区別する特性によってグループ化され得る。大きいユーザ・グループの好みを理解することによって、システム・サーバは、高度なプラニング、リアル・タイム・トレンディング、地理トレンディング、およびダッシュボード・レポートのためのビジネス・インテリジェンスを提供することができる。たとえば、各芳香分散システムは、中央サーバ（１つまたは複数）に芳香分散情報を送信することができ、このデータは、芳香カートリッジの各タイプの消費の速度を予測することができる。この情報を使用して、追加の芳香カートリッジを注文することができ、その結果、適当な量が、必要な時に使用可能になる。この情報を使用して、人気のある芳香および人気のない芳香を識別することもできる。ある芳香が、穏当な量で消費されていない場合に、システムは、特定の人気のない芳香が量管理問題を有する可能性があり、在庫を交換する必要がある可能性があると判定することができる。その代わりに、システムは、人気のない芳香を中止しまたは消費者によってより受け入れられるように変更することを要求することができる。この情報を使用して、芳香傾向を判定することもでき、その結果、最も人気のある既存の芳香に類似する新しい芳香を開発できるようになる。
【００８２】
このデータをサーバによって使用して、ユーザ人口統計と好まれる芳香との間の相関を識別することもできる。たとえば、システムは、男性、女性、および子供の間の芳香の好みの差を検出することができ、ここで、男性は、屋外の森の芳香を好み、女性は、花の芳香を好み、子供は、浜辺の芳香を好む可能性がある。ユーザ人口統計に基づいて芳香の好みを知ることによって、サーバは、特定のユーザ、地理、車両タイプ、季節などに基づいて、将来の消費者の芳香好み予測を行うことができる。自動車バイヤが、芳香分散を有する車両を購入すると決断する場合に、ユーザ情報を提供し、消費者に人気がある可能性が最も高い芳香カートリッジのセットを予測するのに使用することができる。その代わりに、消費者が、車両と共に供給される個々の芳香を選択できる場合がある。
【００８３】
データからの芳香消費情報は、数値データ、水平軸上の時間にわたる垂直軸内の芳香消費傾向線を示すグラフィカル・データ、棒グラフまたは円グラフ、特定の芳香システムの現在の芳香レベルなどを含む様々な形でシステム・サーバ上に表示され得る。一実施形態では、芳香消費情報を一体化されたモバイル・コントロールおよび／またはスマート・フォンに送信することができ、その結果、ユーザは、彼らの消費速度、芳香レベル、芳香カートリッジ再充てんの必要を知り、彼らの個人使用情報を全般的なユーザ情報と比較するようになる。
【００８４】
一実施形態では、本発明のシステムは、吐き気をもたらす車両の動きを検出し、予測するために様々なプロセスを実行することができる。図３２を参照すると、吐き気抑制芳香出力を作動させ、記録する手動方法を説明する流れ図が示されている。議論されるように、ユーザが、車両内で移動している時に吐き気を催す時に、ユーザは、吐き気条件についてシステムに知らせるためにユーザ・インターフェース上のボタンを押すことができる４０１。システムは、ユーザ・インターフェースを介してユーザによって入力された吐き気レベルに比例する体積の吐き気抑制芳香を放つことによって応答することができる４０３。吐き気抑制芳香を放つことに加えて、システムは、ユーザが吐き気を催す前の車両の位置、力、および動きを含むことのできる吐き気情報を記録することもできる。システムは、ユーザの吐き気入力の前に動きセンサによって検出された回転および力を識別することもでき、この情報を、システムによって吐き気位置データベースに記憶することができる４０５。
【００８５】
この情報を、個々のユーザに関するデータベースに記憶することができる。異なる人は、異なる吐き気感受性を有する。一部の人は、非常に簡単に乗物酔になるが、他の人は、ほぼ絶対に乗物酔にならない。一部の人は、ある種の匂いおよびあるタイプの動きに対して、他の人より敏感である可能性がある。一実施形態では、システムは、ユーザを吐き気感受性の異なるカテゴリに累積的にグループ化することができる。たとえば、吐き気データが収集される時に、システムは、頻繁に吐き気を催すユーザ、時折吐き気を催すユーザ、周期的に吐き気を催すユーザ、まれに吐き気を催すユーザ、およびほぼ絶対に吐き気を催さないユーザを識別することができる。これらのグループを、時間あたりの吐き気入力に基づいて判定することができる。毎週または毎月複数回吐き気を催す乗客は、年に１〜２回乗物酔になる乗客より吐き気に敏感なグループに含まれる。システムは、各ユーザがユーザ・インターフェースを介して吐き気レベルを入力する前に検出された動きおよび力の大きさならびに持続時間に基づいてユーザの吐き気感受性を比較することができる。より高い速度の動き、力、および持続時間に対処できるユーザは、同一の速度の動き、力、および持続時間で吐き気を催す人より吐き気に鈍感なグループに配置される。これらのグループのそれぞれは、吐き気をもたらす可能性が高い動きの特定の範囲および道路位置を有する可能性がある。システム・ユーザに、それぞれ、吐き気感受性レーティングを与えることができ、吐き気位置および強度データを、すべてのシステム・ユーザと共有することができる。
【００８６】
システムが使用される時に、ユーザは、車両内で移動し、吐き気が発生する道路位置を入力する。システムは、吐き気位置および吐き気強度を受信することができ、この情報は、データベースに記憶され得る。データベースを使用して、検出された道路吐き気区域を識別できる道路吐き気マップを作成することができる。ユーザの異なるグループは、異なる吐き気位置を有し、より敏感な人は、乗物酔に鈍感な人より多数の吐き気位置を有する。したがって、より敏感なグループの吐き気マップは、システム・ユーザのより鈍感なグループの吐き気マップより多数の予測された吐き気位置を有する。吐き気マップを、同一の感度グループに含まれる他のシステム・ユーザと共有することができる。
【００８７】
異なるグループとの吐き気条件のオーバーラップがある。たとえば、ほぼ絶対に吐き気を催さないユーザに吐き気を催させる条件および位置は、すべての他のグループに適用可能である。まれに吐き気を催すユーザに吐き気を催させる条件および位置は、すべてのより敏感なグループに適用可能である。一実施形態では、システムは、車両内の乗客と、記憶された吐き気ヒストリに基づく乗客のそれぞれの吐き気感受性レベルとを識別することができる。この吐き気グループ・データベース情報は、システムによって、将来の旅のために使用され得る。ポータブル芳香システムを有する車両またはユーザが移動する時に、システムは、車両内の乗客（１つまたは複数）のグループの車両の位置を包含する吐き気マップをルック・アップすることができる。システムは、位置が、ユーザおよび同一の吐き気グループ内の他のユーザの吐き気位置であったことを識別することができる。この情報に基づいて、システムは、以前のユーザ吐き気データまたは、吐き気グループの所定のしきい値を超える回転、加速度、および持続時間を含む、乗客に印加される検出された力に基づいて、車両が、吐き気を誘発する可能性が高い道路位置である道路を移動する時に、吐き気抑制芳香を放つことができる。
【００８８】
一実施形態では、システムは、マップ上のすべての吐き気位置の吐き気値を記憶し、吐き気値および車両乗客の吐き気感受性に基づいて吐き気抑制芳香の体積を調整することができる。たとえば、システムは、１と１００との間の吐き気値を有することができる。これらの吐き気値を、５つのグループに分解することができ、レベル１は１〜２０とすることができ、レベル２は２１〜４０とすることができ、レベル３は４１〜６０とすることができ、レベル５は８１〜１００＋とすることができる。５つの異なるレベルは、吐き気抑制芳香の異なる体積および／または持続時間に対応することができる。線形の例では、レベル１吐き気位置は、車両に、１秒持続時間の吐き気抑制芳香を放たせることができ、レベル２吐き気位置は、車両に２秒持続時間放たせることができるなどである。
【００８９】
吐き気抑制芳香の体積およびまたは持続時間を、車両乗客の吐き気感受性に基づいて調整することもできる。一実施形態では、吐き気抑制芳香の体積および／または持続時間を、最も吐き気に敏感な乗客に基づくものとすることができる。吐き気抑制芳香の放出を防ぎまたは最小化するために、システムは、より低い吐き気感受性の乗客が車両内にいる時に、芳香放出を調整することができる。一実施形態では、システムは、すべての乗客を異なる吐き気感受性クラスに分類することができる。クラス１乗客は、吐き気を催しやすいものとすることができ、クラス５乗客は、道路条件に起因して非常にまれに吐き気を催すものとすることができる。システムは、乗客のクラス・レベルによって、吐き気抑制芳香出力の持続時間または体積を除算することができる。車両が、少なくとも１つのクラス１乗客を有する場合に、吐き気抑制芳香の完全な体積または持続時間を、システムによって出力することができる。しかし、最も吐き気に敏感な乗客がクラス３乗客である場合には、吐き気抑制芳香の体積または持続時間を３によって除算することができる。最も吐き気に敏感な乗客がクラス５乗客である場合には、吐き気抑制芳香の体積または持続時間を５によって除算することができる。一実施形態では、試験が、実行され、乗客のフィードバックに基づくものとすることができ、システムは、すべての多様な乗客にとって十分な体積の吐き気抑制芳香を放つように正しく調整され得る。
【００９０】
乗客は、通常、経時的に同一の吐き気グループ関連付けを有する可能性がある。しかし、乗客が、乗物酔に対する高められた感受性を有する状況がある可能性がある。たとえば、乗客が、吐き気感受性を一時的に変更する医学的状態を有する場合がある。これらの状態は、病気、二日酔い、頭痛などを含む可能性がある。一実施形態では、システムは、ユーザが、彼らに関連する吐き気グループに対して手動調整を行うことを可能にすることができる。ユーザが、彼または彼女が吐き気により敏感であると感じていることを知っている場合に、ユーザ・インターフェースを作動させて、ユーザの関連する吐き気グループを一時的に調整することができる。
【００９１】
道路の特定のセクションが、異なる交通条件に基づいて異なる吐き気確率を有する可能性がある。交通渋滞では、車両が、吐き気の尤度を高める可能性がある排ガスの高められた濃度を伴って、始動／停止の形で移動している場合がある。交通量が減る時に、車両は、より安定した速度をとることができ、排ガス濃度が下がる可能性があり、吐き気の尤度が下がる可能性がある。空いた交通状況では、車両の速度が高まる可能性があり、吐き気の尤度が、直線路に関して下がる可能性がある。しかし、車両速度が、曲がりくねった道で高まる時に、車両乗客に印加される求心力は、高まる可能性があり、これが、吐き気の尤度の増加をもたらす可能性がある。一実施形態では、交通速度を、既存のリアル・タイム・トラフィック・マップおよびデータベースに基づいて検出することができる。
【００９２】
この動きデータを使用して、吐き気をもたらす可能性がある将来の条件を識別し、予測することができる。図３３を参照すると、吐き気予測プロセスを示す流れ図が示されている。システムは、車両およびユーザの回転運動および加速運動と動きの持続時間とをリアル・タイムで検出することができる４１１。システムは、吐き気をもたらした回転および力以上の回転および力を識別することができる。検出された動きが、所定の持続時間を超えて所定の動きしきい値を超える場合に、システムは、放つべき吐き気抑制芳香の体積を計算し、決定することができる４１３。システムは、ユーザおよび／または他のシステム・ユーザによってデータベースに記憶された吐き気位置を識別することもできる。検出された動きまたは以前の吐き気位置が、一致する車両速度で検出される場合に、システムは、放つべき吐き気抑制芳香の体積を決定することもできる４１５。システムは、予測された吐き気レベルに対応する体積の吐き気抑制芳香を出力することができる４１７。
【００９３】
多くの人が、目的地への運転ルートを決定するのにＧＰＳデバイスを使用する。一実施形態では、芳香システムは、ルートを分析し、既知のまたは予測される吐き気位置があるかどうかを判定することができる。回転を検出するために、システムは、ルート上の曲線および法線車両速度を単純に識別することができる。求心力は、速度の二乗を道路曲率半径で割ることによって計算することができるＦｃｅｎｔｒｉｐｉｔａｌ＝Ｖ２／ｒ。道路の曲線は、頻繁にグループになっており、これは吐き気の尤度を高める可能性がある。システムは、しきいレベルを超える求心力が少なくとも特定の持続時間にわたって繰り返されることを判定することによって、潜在的に問題のある道路を計算することができる。図３４を参照すると、本発明のシステムを使用して、道路予測吐き気サービスを提供することができる。ユーザは、目的地を入力することができる４２１。ＧＰＳシステムが、目的地へのルートを決定することによって応答することができる４２３。システムは、車両動きが所定の持続時間を超えて所定の動きしきい値を超える道路上の位置を判定し、システムは、同様の吐き気反応を有する特定のユーザまたは使用の以前の吐き気位置をも判定する４２５。
【００９４】
システムは、可能なルートを分析し、乗客吐き気感受性、道路速度、およびルートの曲率に基づいて、乗客の吐き気グループ、既知の吐き気位置、および予測される車両動きに基づいて吐き気をもたらす可能性がある位置を識別する。システムは、吐き気の情報および尤度と共に可能なルートをリストすることができる。システムは、乗物酔をもたらす可能性がより低いルート  使用可能な場合  場合に、より長いが乗物酔をもたらす可能性がより低いルートを提案することができる。システムは、より吐き気を催さないルートを選択するオプションを発行することができ、ユーザは、所望のルートを選択することができる４２９。システムは、乗客吐き気グループに関する吐き気の尤度を最小にするために、所望のルートが最適の交通レベルを有すると予測される時刻についてユーザに知らせることもできる。システムは、吐き気抑制芳香の体積を決定することができる４３１。車両が既知のルートを通って移動する時に、システムは、予測された吐き気または実際の吐き気の位置で所定の体積の吐き気抑制芳香を放つことができる４３３。
【００９５】
図３５を参照すると、芳香システムは、すべてが一体化される照明システム、香り付けシステム、およびオーディオ・システムを調整することのできる雰囲気香り付け経験を作成するのに使用される車両内システムの一部とすることができる。これらの経験のそれぞれを、所望の雰囲気または活動によって調整することができる。たとえば、システムは、夕食パーティ、金曜日の夜、祝祭、トレーニング、車の長旅、勉強、ゲームの日、バーベキュー、家族の時間、起床、集中、雨の日、恋愛、緩和、思い出、および任意の他の雰囲気／活動など、システム・ユーザによって選択され得る複数の雰囲気および／または活動を有するユーザ・インターフェースを有することができる。雰囲気／活動が、ボタン３５１を押すこと、音声制御、または任意の他の入力によって選択される時に、システムは、照明、香り付け、および音楽に、選択された雰囲気／活動と調整された出力を作らせることができる。照明出力を、高められた生産性、積極的な環境、憂鬱を減らす、より少ない不安、および平和のために青とすることができる。照明出力を、高められた能力、幸福、明るさ、および喜びのために黄色とすることができる。照明出力を、高められた興奮、愛情、熱中、および熱情のために赤とすることができる。照明出力を、高められた若返り、新鮮味、および精力のために緑とすることができる。
【００９６】
知覚経験ネットワーク・システムと共に使用される芳香システムを、特定の目的のために使用することができる。議論されるように、システムが、乗物酔を予測しまたはその手動入力を受信した時に、システムは、吐き気抑制芳香を放ち、吐き気を軽減するのをそれぞれ助けることのできるオーディオ出力および照明を提供することができる。一体化されたモバイル・コントロールおよび／またはスマート・フォンのユーザ・インターフェースは、気分が良くないか乗物に酔っている運転者または乗客の吐き気を減らすことのできる吐き気抑制芳香の放出をもたらすことのできる「吐き気」入力ボタンを有することができる。たとえば、ペパーミント、ジンジャー、ラベンダ、カモミール、カルダモン、コリアンダ、ウイキョウ、ナツメグ、アニシード、トウシミキ、ベルガモット、レモン、スペアミント、グレープフルーツ、およびゼラニウムなどの芳香が、吐き気を減らすのを助けることができる。吐き気症状が続くかエスカレートする場合には、運転者に、速度を落とすかより少ない曲線を有する代替ルートをとるように指示することができる。不快レベル４または５などの極端な状況では、運転者に、道路の脇に車を寄せ、停止するように指示することができる。同様に、車両が、自律運転車両である場合に、極端な状況では、車両制御システムに、速度を落とし、より少ない曲線を有する代替ルートをとり、または道路の脇に車を寄せ、停止するように指示することができる。
【００９７】
吐き気に対する異なる芳香の影響に関する研究が行われた。Ｉｒａｎｉａｎ  Ｒｅｄ  Ｃｒｅｓｃｅｎｔ  Ｍｅｄｉｃａｌ  Ｊｏｕｒｎａｌは、ａ  ２０１２  ｓｔｕｄｙ  ｏｆ  ｔｈｅ  Ｅｆｆｅｃｔ  ｏｆ  Ｍｉｎｔ  Ｏｉｌ  ｏｎ  Ｎａｕｓｅａ  ａｎｄ  Ｖｏｍｉｔｉｎｇ  Ｄｕｒｉｎｇ  Ｐｒｅｇｎａｎｃｙを公表した。この研究では、吐き気の深刻さは、ミント試験グループでは減少する傾向（特に第４夜）を示し、対照群では増加した。Ｐａｓｈａ，Ｈ．，Ｂｅｈｍａｎｅｓｈ，Ｆ．，Ｍｏｈｓｅｎｚａｄｅｈ，Ｆ．，Ｈａｊａｈｍａｄｉ，Ｍ．，＆  Ｍｏｇｈａｄａｍｎｉａ，Ａ．Ａ．（２０１２）．Ｓｔｕｄｙ  ｏｆ  ｔｈｅ  Ｅｆｆｅｃｔ  ｏｆ  Ｍｉｎｔ  Ｏｉｌ  ｏｎ  Ｎａｕｓｅａ  ａｎｄ  Ｖｏｍｉｔｉｎｇ  Ｄｕｒｉｎｇ  Ｐｒｅｇｎａｎｃｙ．Ｉｒａｎｉａｎ  Ｒｅｄ  Ｃｒｅｓｃｅｎｔ  Ｍｅｄｉｃａｌ  Ｊｏｕｒｎａｌ，１４（１１），７２７〜７３０．ｈｔｔｐ：／／ｄｏｌ．ｏｒｇ／１０．５８１２／ｉｒｃｍｊ．３４７７。Ｉｎｔｅｇｒａｔｉｖｅ  Ｍｅｄｉｃｉｎｅ  Ｉｎｓｉｇｈｔｓは、記事Ｔｈｅ  Ｅｆｆｅｃｔｉｖｅｎｅｓｓ  ｏｆ  Ｇｉｎｇｅｒ  ｉｎ  ｔｈｅ  Ｐｒｅｖｅｎｔｉｏｎ  ｏｆ  Ｎａｕｓｅａ  ａｎｄ  Ｖｏｍｉｔｉｎｇ  ｄｕｒｉｎｇ  Ｐｒｅｇｎａｎｃｙ  ａｎｄ  Ｃｈｅｍｏｔｈｅｒａｐｙを公表した。この論文は、最良の入手可能な証拠が、ジンジャーが吐き気および嘔吐に関する有効で安価な治療であり、安全であることを実証すると結論する。Ｌｅｔｅ，Ｉ．，＆  Ａｌｌｕｅ，Ｊ．（２０１６）．Ｔｈｅ  Ｅｆｆｅｃｔｉｖｅｎｅｓｓ  ｏｆ  Ｇｉｎｇｅｒ  ｉｎ  ｔｈｅ  Ｐｒｅｖｅｎｔｉｏｎ  ｏｆ  Ｎａｕｓｅａ  ａｎｄ  Ｖｏｍｉｔｉｎｇ  ｄｕｒｉｎｇ  Ｐｒｅｇｎａｎｃｙ  ａｎｄ  Ｃｈｅｍｏｔｈｅｒａｐｙ．Ｉｎｔｅｇｒａｔｉｖｅ  Ｍｅｄｉｃｉｎｅ  Ｉｎｓｉｇｈｔｓ，１１，１１−１７．ｈｔｔｐ：／／ｄｏｉ．ｏｒｇ／１０．４１３７／ＩＭＩ．Ｓ３６２７３。Ｐｈｙｔｏｍｅｄｉｃｉｎｅは、論文Ａ  ｍｕｌｔｉ−ｃｅｎｔｅｒ，ｄｏｕｂｌｅ−ｂｌｉｎｄ，ｒａｎｄｏｍｉｓｅｄ  ｓｔｕｄｙ  ｏｆ  ｔｈｅ  Ｌａｖｅｎｄｅｒ  ｏｉｌ  ｐｒｅｐａｒａｔｉｏｎ  Ｓｉｌｅｘａｎ  ｉｎ  ｃｏｍｐａｒｉｓｏｎ  ｔｏ  Ｌｏｒａｚｅｐａｍ  ｆｏｒ  ｇｅｎｅｒａｌｉｚｅｄ  ａｎｘｉｅｔｙ  ｄｉｓｏｒｄｅｒを公表した。この論文は、ラベンダ・オイル調整シレキサンが、全般性不安の改善に関する有効で十分許容されるベンゾジアゼピンの代替案であると思われると述べている。Ｗｏｅｌｋ，Ｈ．，＆  Ｓｃｈｌａｆｋｅ，Ｓ．（２０１０）．Ａ  ｍｕｌｔｉ−ｃｅｎｔｅｒ，ｄｏｕｂｌｅｂｌｉｎｄ，ｒａｎｄｏｍｉｓｅｄ  ｓｔｕｄｙ  ｏｆ  ｔｈｅ  Ｌａｖｅｎｄｅｒ  ｏｉｌ  ｐｒｅｐａｒａｔｉｏｎ  Ｓｉｌｅｘａｎ  ｉｎ  ｃｏｍｐａｒｉｓｏｎ  ｔｏ  Ｌｏｒａｚｅｐａｍ  ｆｏｒ  ｇｅｎｅｒａｌｉｚｅｄ  ａｎｘｉｅｔｙ  ｄｉｓｏｒｄｅｒ．Ｐｈｙｔｏｍｅｄｉｃｉｎｅ，１７（２），９４〜９９。Ｉｒａｎｉａｎ  Ｒｅｄ  Ｃｒｅｓｃｅｎｔ  Ｍｅｄｉｃａｌ  Ｊｏｕｒｎａｌは、ａ  ２０１４  ｐａｐｅｒ  ｏｎ  ｔｈｅ  ｅｆｆｅｃｔ  ｏｆ  ｌｅｍｏｎ  ｉｎｈａｌａｔｉｏｎ  ａｒｏｍａｔｈｅｒａｐｙ  ｏｎ  ｎａｕｓｅａ  ａｎｄ  ｖｏｍｉｔｉｎｇ  ｏ��  ｐｒｅｇｎａｎｃｙを公表した。この論文は、レモン・エッセンシャル・オイルを用いる吸入アロマセラピが、この方法が妊娠中の吐き気および嘔吐（ＮＶＰ）を減らすことができることを示したと述べている。化学投薬とは対照的に、アロマセラピは、身体および精神の健康に対して有用な影響を有し、ＮＶＰの治療での代替手法として有用である可能性がある。一実施形態では、吐き気抑制芳香は、ペパーミント、スペアミント、レモン、ジンジャー、およびラベンダという香りつけのうちの少なくとも２つの乾燥物の独自ブレンドである。独自ブレンドの各香りつけのパーセンテージは、組合せに応じて変化し、これらの成分のすべてを必ず含むわけではない。
【００９８】
芳香システムを使用して、他の特定目的の知覚経験を作ることもできる。たとえば、シナモン芳香を、集中および焦点に使用することができる。Ｗｈｅｅｌｉｎｇ  Ｊｅｓｕｉｔ  Ｕｎｉｖｅｒｓｉｔｙの研究者は、シナモン芳香を嗅いだ人が、視覚運動反応、作業メモリ、および注意スパンなどの認知機能において改善されることを見出した。参加者が大幅により低い憂鬱レベルおよびストレス・レベルを報告した日本の研究によれば、パイン芳香を使用して不安を減らすことができる。この研究は、不安な被験者が、パイン芳香にふけった後に、より強い解放の感覚を有したことをも発見した。剪定されたばかりの草の芳香は、ユーザをより嬉しくすることができる。研究（ＩＳＯＴ／ＪＡＳＴＳ  ２００４）では、研究者は、バニラ・ビーン芳香をとることが、参加者の喜びおよび解放の感覚を高めたことを見出した。Ｗｈｅｅｌｉｎｇ  Ｊｅｓｕｉｔ  Ｕｎｉｖｅｒｓｉｔｙの小規模な研究は、ペパーミント芳香を嗅ぐことが、より高い認知スタミナ、モチベーション、および総合パフォーマンスにリンクしている可能性があることを見出した。２０１０年の研究、Ｎａｔ．Ｐｒｏｄ．Ｃｏｍｍｕｎ．２０１０  Ｊａｎ；５（１）：１５７−６２，“Ｓｔｉｍｕｌａｔｉｎｇ  ｅｆｆｅｃｔ  ｏｆ  ａｒｏｍａｔｈｅｒａｐｙ  ｍａｓｓａｇｅ  ｗｉｔｈ  ｊａｓｍｉｎｅ  ｏｉｌ”は、ジャスミンの匂いが、警戒の感覚をもたらすだけではなく、抑鬱的な思考を助ける形としても働くことができることを見出した。研究者は、ジャスミン芳香の刺激効果が、憂鬱の解放を助け、高揚した雰囲気につながる可能性があることを見出した。研究は、リンゴ芳香の匂いが、実際に偏頭痛をやわらげるのを助けることができることを示唆した。ある２００８年の研究は、香りつけが魅力的であることに気付いた人が、頭痛症状の顕著な軽減ならびに短縮された偏頭痛発作を有したことを示した。青リンゴ芳香に関する以前の研究も、香り付けが、ストレスの多い瞬間中の不安の感覚を制御するのを助けることができることを見出した。いくつかの実施形態では、車両モデル固有または車両メーカー固有の芳香を開発することができ、これらの特殊な芳香を、車両モデルまたはある車両メーカーによって作られるすべての車両と共に供給することができる。
【００９９】
知覚経験ネットワーク・システムは、車両内のオーディオ信号を照明および香りつけと調整することもできる。雰囲気および活動のそれぞれに適当な音楽を、曲または環境背景サウンドのランダム・シーケンスで再生することができる。いくつかの実施形態で、一体化されたモバイル・コントロールおよび／またはスマート・フォンは、警戒および吐き気などの特殊な身体条件を援助するための特殊な芳香を有することができる。一実施形態では、一体化されたモバイル・コントロールおよび／またはスマート・フォンのユーザ・インターフェースは、運転者または乗客の警戒を改善することのできる芳香をもたらすことのできる「警戒」ボタンを有することができる。たとえば、レモン、オレンジ、シナモン、ミント、およびローズマリーなどの芳香が、活気および警戒を高めるのを助けることができる。
【０１００】
表１に、光の色と、光の色によって改善され得る身体反応とのリスティングを提供する。
【表１】
2021528298.tif 000003
【０１０１】
表２に、芳香と芳香によって改善され得る身体反応とのリスティングを提供する。
【表２】
2021528298.tif 000004
【０１０２】
図３６を参照すると、芳香システムの実施形態の流れ図が示されている。一実施形態では、ユーザは、一体化されたモバイル・コントロールおよび／またはスマート・フォンのユーザ・インターフェース上の芳香アイコン３５１を押すことによって、芳香システム制御へのアクセスを選択することができる。システムは、複数の雰囲気または活動３５５を表示することによって応答することができる。ユーザは、所望の雰囲気または活動３５５を選択することができる。システムは、芳香を選択することができ３５７、あるいは、システムは、異なる雰囲気または活動３５５に対応する芳香（１つまたは複数）３５９を用いて事前に構成され得る。システムは、ユーザの選択した雰囲気３５５に関連する１つまたは複数の芳香３５９を作動させ、分散させることができる。
【０１０３】
ユーザが、システム制御セッティング３６３を調整することを必要とする場合があり、システム・ユーザ・インターフェースは、分散強度セッティング３６５の調整を有することができる。図示の例では、ユーザは、芳香カートリッジの分散出力を低、高、または通常３６５に構成することができる。他の実施形態では、システムが、任意の他の可変セッティングを有することができる。芳香システムは、芳香カートリッジごとにアクティブ化３６１および分散を記憶し、各芳香カートリッジの状況を判定し、カートリッジごとに、残りの分散の回数と、使用可能な分散がまだあるかどうかとを計算する。システムは、芳香がカートリッジから完全に使い果たされる前に、カートリッジを交換する必要があるかどうかを判定することができる３６９。芳香システムは、残りの芳香分散の回数が少ない時に、交換芳香カートリッジを自動的に注文することができる３７１。カートリッジを交換する必要がある場合に、システムは、ユーザにカートリッジ３７３を交換するように指示することのできるユーザ・インターフェースへの信号を供給できるアラームを提供することができる。システムは、芳香カートリッジが使い果たされた時にそれらをどのように交換すべきかに関してユーザに指示することができる。このプロセスを、各芳香分散の後に繰り返すことができる。
【０１０４】
説明されるソフトウェアを使用して、カートリッジ効率を制御し、使用量、データ収集、および補充のアラートを監視することができる。ネットワーク・システムは、予測された使用量および実際の使用量に基づく、一貫した使用、自動化された補充、および課金のためにサプライ・チェーンにリンクされ得る。リアル・タイム・トレンディング、地理トレンディング、ダッシュボード・レポートに基づくシステム・プラニング。スマート・フォン互換のデバイスのウェブ・インターフェース・プログラミング（ＳＤＫ）。
【０１０５】
図３６を参照すると、一実施形態で、特定のプロセスが実行され得る  芳香カートリッジを構築し、芳香カートリッジ構成要素をリサイクルする。芳香オイルまたは他の芳香媒体が、受け取られ、目録に記載される３２１。ビーズが、芳香オイルの中または付近に配置され、芳香オイルまたは他の芳香媒体が、ビーズに染み込まされる３２３。ビーズ芳香染み込ませプロセスは、４週間までを要する可能性がある。ビーズが芳香を染み込まされた後に、芳香を染み込まされたビーズは、芳香カートリッジ内に配置され、芳香カートリッジが、パックされ得る３２５。充てんされた芳香カートリッジは、卸売業者、ディーラー、または直接に消費者に出荷される３２７。芳香カートリッジは、末端消費者によって、芳香分散ユニット内に挿入され、使用される３２９。空気が芳香カートリッジを通って吹き付けられ、乾燥芳香が、芳香ビーズから吹き飛ばされる。分散サイクル寿命の終りに、芳香カートリッジは、芳香分散ユニットから除去され、新しい芳香カートリッジと交換される。使い果たされた芳香カートリッジは、リサイクルされる３３１。一実施形態では、芳香カートリッジは、分解され、芳香を使い果たされたビーズは、カートリッジから除去される３３３。ビーズおよびカートリッジをリサイクルすることができる３３５。使用されたビーズを洗浄し、芳香を再び染み込ませることができる３２３。再び染み込まされた後に、これらの芳香ビーズを芳香カートリッジ内に配置することができ３２５、消費プロセスを繰り返すことができる。
【０１０６】
図３７は、モバイル・デバイスからコンピュータにコンピュータ・プログラムをインストールするためのモバイル側プロセスおよびサーバ側プロセスを含む、本明細書で説明するプロセスを実施するのに使用され得る、一般的なコンピュータ・デバイス９００および一般的なモバイル・コンピュータ・デバイス９５０の例を示す。コンピューティング・デバイス９００は、ラップトップ、デスクトップ、ワークステーション、携帯情報端末、サーバ、ブレード・サーバ、メインフレーム、および他の適当なコンピュータなど、様々な形のデジタル・コンピュータを表すことが意図されている。コンピューティング・デバイス９５０は、携帯情報端末、セルラ電話機、スマート・フォン、および他の同様のコンピューティング・デバイスなど、様々な形のモバイル・デビスを表すことが意図されている。この図に示された構成要素、その接続および関係、ならびにその機能は、例示的であることのみが意図され、本文書で説明され、かつ／または請求される発明の実施態様を限定することは意図されていない。
【０１０７】
コンピューティング・デバイス９００は、プロセッサ９０２、メモリ９０４、ストレージ・デバイス９０６、メモリ９０４および高速拡張ポート９１０に接続する高速インターフェース９０８、ならびに低速バス９１４およびストレージ・デバイス９０６に接続する低速インターフェース９１２を含む。構成要素プロセッサ９０２、メモリ９０４、ストレージ・デバイス９０６、高速インターフェース９０８、高速拡張ポート９１０、および低速インターフェース９１２のそれぞれは、様々なバスを使用して相互接続され、共通のマザーボード上にまたは適宜他の形で取り付けられ得る。プロセッサ９０２は、高速インターフェース９０８に結合されたディスプレイ９１６などの外部入出力デバイス上にＧＵＩのグラフィカル情報を表示するためのメモリ９０４内またはストレージ・デバイス９０６上に記憶された命令を含む、コンピューティング・デバイス９００内での実行のための命令を処理することができる。他の実施態様では、適宜、複数のメモリおよびメモリの複数のタイプと一緒に、複数のプロセッサおよび／または複数のバスを使用することができる。また、複数のコンピューティング・デバイス９００を接続することができ、各デバイスは、必要な動作の一部を提供する（たとえば、サーバ・バンク、ブレード・サーバのグループ、またはマルチプロセッサ・システムとして）。
【０１０８】
メモリ９０４は、コンピューティング・デバイス９００内で情報を記憶する。一実施態様では、メモリ９０４は、１つまたは複数の揮発性メモリ・ユニットである。別の実施態様では、メモリ９０４は、１つまたは複数の不揮発性メモリ・ユニットである。メモリ９０４を、磁気ディスクまたは光ディスクなど、別の形のコンピュータ可読媒体とすることもできる。
【０１０９】
ストレージ・デバイス９０６は、コンピューティング・デバイス９００にマス・ストレージを提供することができる。一実施態様では、ストレージ・デバイス９０６は、フロッピ・ディスク・デバイス、ハード・ディスク・デバイス、光ディスク・デバイス、テープ・デバイス、フラッシュ・メモリもしくは他の同様のソリッド・ステート・メモリ・デバイス、またはストレージ・エリア・ネットワークもしく他の構成内のデバイスを含むデバイスのアレイなどのコンピュータ可読媒体とするか、これを含むことができる。コンピュータ・プログラム製品を、情報担体内で有形に実施することができる。コンピュータ・プログラム製品は、実行された時に上で説明したものなどの１つまたは複数の方法を実行する命令をも含むことができる。情報担体は、メモリ９０４、ストレージ・デバイス９０６、またはプロセッサ９０２上のメモリなど、非一時的コンピュータ可読記憶媒体または非一時的機械可読記憶媒体とすることができる。
【０１１０】
高速コントローラ９０８は、コンピューティング・デバイス９００の帯域幅集中型動作を管理し、低速コントローラ９１２は、より低帯域幅集中型動作を管理する。そのような機能の割振りは、例示にすぎない。一実施態様では、高速コントローラ９０８は、メモリ９０４、ディスプレイ９１６（たとえば、グラフィックス・プロセッサまたはグラフィックス・アクセラレータを介して）、および高速拡張ポート９１０に結合され、高速拡張ポート９１０は、様々な拡張カード（図示せず）を受け入れることができる。この実施態様では、低速コントローラ９１２は、ストレージ・デバイス９０６および低速拡張ポート９１４に結合される。低速拡張ポート９１４は、様々な通信ポート（たとえば、ＵＳＢ、Ｂｌｕｅｔｏｏｔｈ、イーサネット、無線イーサネット）を含むことができるが、コンピュータ９３２と通信しているキーボード９３６、ポインティング・デバイス９３５、スキャナ９３１、またはたとえばネットワーク・アダプタを介してスイッチまたはルータなどのネットワーキング・デバイス９３３などの１つまたは複数の入出力デバイスに結合され得る。
【０１１１】
コンピューティング・デバイス９００を、この図に示されているように複数の異なる形で実施することができる。たとえば、コンピューティング・デバイス９００を、１つの標準的なサーバ９２０として、またはそのようなサーバのグループ内で複数回、実施することができる。コンピューティング・デバイス９００を、ラック・サーバ・システム９２４の一部として実施することもできる。さらに、コンピューティング・デバイス９００を、ラップトップ・コンピュータ９２２などのパーソナル・コンピュータ内で実施することができる。代わりに、コンピューティング・デバイス９００からの構成要素を、デバイス９５０などのモバイル・デバイス内の他の構成要素（図示せず）と組み合わせることができる。そのようなデバイスのそれぞれは、コンピューティング・デバイス９００、９５０のうちの１つまたは複数を含むことができ、システム全体は、お互いと通信する複数のコンピューティング・デバイス９００、９５０から構成され得る。
【０１１２】
コンピューティング・デバイス９５０は、とりわけ、プロセッサ９５２、メモリ９６４、ディスプレイ９５４などの入出力デバイス、通信インターフェース９６６、およびトランシーバ９６８を含む。デバイス９５０に、追加のストレージを提供するために、Ｍｉｃｒｏｄｒｉｖｅ、ソリッド・ステート・メモリ、または他のデバイスなどのストレージ・デバイスを設けることもできる。構成要素コンピューティング・デバイス９５０、プロセッサ９５２、メモリ９６４、ディスプレイ９５４、通信インターフェース９６６、およびトランシーバ９６８のそれぞれは、様々なバスを使用して相互接続され、構成要素のうちの複数が、共通のマザーボード上に、または適宜他の形で取り付けられ得る。
【０１１３】
プロセッサ９５２は、メモリ９６４に記憶された命令を含む、コンピューティング・デバイス９５０内の命令を実行することができる。プロセッサを、別々の複数のアナログ・プロセッサおよびデジタル・プロセッサを含むチップのチップセットとして実施することができる。プロセッサは、ユーザ・インターフェースの制御、デバイス９５０によって走行されるアプリケーション、およびデバイス９５０によるワイヤレス通信など、デバイス９５０の他の構成要素の調整を提供することができる。
【０１１４】
プロセッサ９５２は、制御インターフェース９５８およびディスプレイ９５４に結合されたディスプレイ・インターフェース９５６を介してユーザと通信することができる。ディスプレイ９５４は、たとえば、ＴＦＴ  ＬＣＤ（薄膜トランジスタ液晶ディスプレイ）、ＯＬＥＤ（有機発光ダイオード）ディスプレイ、または他の適当なディスプレイ技術とすることができる。ディスプレイ・インターフェース９５６は、グラフィカル情報および他の情報をユーザに提示するためにディスプレイ９５４を駆動する適当な回路網を含むことができる。制御インターフェース９５８は、ユーザからコマンドを受け取り、これらをプロセッサ９５２へのサブミットのために変換することができる。さらに、外部インターフェース９６２を、他のデバイスとのデバイス９５０の近距離通信を可能にするために、プロセッサ９５２と通信して設けることができる。外部インターフェース９６２は、たとえば、いくつかの実施態様では有線通信、他の実施態様では無線通信を提供することができ、複数のインターフェースも使用され得る。
【０１１５】
メモリ９６４は、コンピューティング・デバイス９５０内で情報を記憶する。メモリ９６４は、１つもしくは複数のコンピュータ可読媒体、１つもしくは複数の揮発性メモリ・ユニット、または１つもしくは複数の不揮発性メモリ・ユニットのうちの１つまたは複数として実施され得る。拡張メモリ９７４を設け、拡張インターフェース９７２を介してデバイス９５０に接続することもでき、拡張インターフェース９７２は、たとえばＳＩＭＭ（Ｓｉｎｇｌｅ  Ｉｎ  Ｌｉｎｅ  Ｍｅｍｏｒｙ  Ｍｏｄｕｌｅ）カード・インターフェースを含むことができる。そのような拡張メモリ９７４は、デバイス９５０に余分な記憶空間を提供することができ、あるいは、デバイス９５０のアプリケーションまたは他の情報を記憶することもできる。具体的には、拡張メモリ９７４は、上で説明したプロセスを実行しまたは補足する命令を含むことができ、セキュア情報を含むこともできる。したがって、たとえば、拡張メモリ９７４を、デバイス９５０のセキュリティ・モジュールとして提供することができ、デバイス９５０のセキュア使用を可能にする命令を用いてプログラムすることができる。さらに、ハッキング不能な形でＳＩＭＭカード上に識別情報を配置するなど、セキュア・アプリケーションを、追加の情報と一緒にＳＩＭＭカードを介して提供することができる。
【０１１６】
メモリは、たとえば、下で議論するように、フラッシュ・メモリおよび／またはＮＶＲＡＭメモリを含むことができる。一実施態様では、コンピュータ・プログラム製品は、情報担体内で有形に実施される。コンピュータ・プログラム製品は、実行された時に、上で説明したものなどの１つまたは複数の方法を実行する命令を含む。情報担体は、メモリ９６４、拡張メモリ９７４、プロセッサ９５２上のメモリなどのコンピュータ可読媒体もしくは機械可読媒体、または、たとえばトランシーバ９６８もしくは外部インターフェース９６２を介して受信され得る伝搬される信号である。
【０１１７】
デバイス９５０は、通信インターフェース９６６を介して無線で通信することができ、通信インターフェース９６６は、必要な場合にデジタル信号処理回路網を含むことができる。通信インターフェース９６６は、とりわけ、ＧＳＭ音声呼、ＳＭＳ、ＥＭＳもしくはＭＭＳメッセージング、ＣＤＭＡ、ＴＤＭＡ、ＰＤＣ、ＷＣＤＭＡ、ＣＤＭＡ２０００、またはＧＰＲＳなどの様々なモードまたはプロトコルの下での通信を提供することができる。そのような通信は、たとえば、ラジオ周波数トランシーバ９６８を介して発生することができる。さらに、Ｂｌｕｅｔｏｏｔｈ、Ｗｉ−Ｆｉ、または他のそのようなトランシーバ（図示せず）を使用するなど、短距離通信が発生することができる。さらに、ＧＰＳ（全地球測位システム）受信器モジュール９７０が、追加のナビゲーション関連および位置関連の無線データをデバイス９５０に供給することができ、これらのデータは、デバイス９５０上で走行するアプリケーションによって適宜使用され得る。
【０１１８】
デバイス９５０は、オーディオ・コーデック９６０を使用して可聴に通信することもでき、オーディオ・コーデック９６０は、ユーザから話された情報を受信し、これを使用可能なデジタル情報に変換することができる。オーディオ・コーデック９６０は、同様に、たとえばデバイス９５０のハンドセット内の、スピーカを介するなど、ユーザのために可聴サウンドを生成することができる。そのようなサウンドは、音声電話呼からのサウンドを含むことができ、録音されたサウンド（たとえば、音声メッセージ、音楽ファイルなど）を含むことができ、デバイス９５０上で動作するアプリケーションによって生成されたサウンドを含むこともできる。
【０１１９】
コンピューティング・デバイス９５０を、図に示されているように複数の異なる形で実施することができる。たとえば、コンピューティング・デバイス９５０を、セルラ電話機９８０として実施することができる。コンピューティング・デバイス９５０を、スマート・フォン９８２、携帯情報端末、タブレット・コンピュータ９８３、または他の同様のモバイル・コンピューティング・デバイスの一部として実施することもできる。
【０１２０】
本明細書で説明されるシステムおよび技法の様々な実施形態を、デジタル電子回路網、集積回路網、特別に設計されたＡＳＩＣ（特定用途向け集積回路）、コンピュータ・ハードウェア、ファームウェア、ソフトウェア、および／またはその組合せで実現することができる。これらの様々な実施態様は、特殊目的または汎用とすることができ、ストレージ・システムからデータおよび命令を受信し、これにデータおよび命令を送信するように結合された少なくとも１つのプログラマブル・プロセッサ、少なくとも１つの入力デバイス、および少なくとも１つの出力デバイスを含むプログラマブル・システム上で実行可能かつ／または解釈可能な１つまたは複数のコンピュータ・プログラムでの実施態様を含むことができる。
【０１２１】
これらのコンピュータ・プログラム（プログラム、ソフトウェア、ソフトウェア・アプリケーション、またはコードとも称する）は、プログラマブル・プロセッサ用の機械命令を含み、高水準手続き型プログラミング言語、オブジェクト指向プログラミング言語、および／またはアセンブリ言語／機械語で実施され得る。本明細書で使用される時に、用語「機械可読媒体」、「コンピュータ可読媒体」は、機械可読信号として機械命令を受信する機械可読媒体を含む、機械命令および／またはデータをプログラマブル・プロセッサに供給するのに使用されるすべてのコンピュータ・プログラム製品、装置、および／またはデバイス（たとえば、磁気ディスク、光ディスク、メモリ、プログラマブル論理デバイス（ＰＬＤ））を指す。用語「機械可読信号」は、機械命令および／またはデータをプログラマブル・プロセッサに供給するのに使用されるすべての信号を指す。
【０１２２】
ユーザとの対話を提供するために、本明細書で説明されるシステムおよび技法を、ユーザに情報を表示するディスプレイ・デバイス（たとえば、ＣＲＴ（陰極線管）またはＬＣＤ（液晶ディスプレイ）モニタ）と、それによってユーザがコンピュータに入力を供給できるキーボードおよびポインティング・デバイス（たとえば、マウスまたはトラックボール）とを有するコンピュータ上で実施することができる。他の種類のデバイスを使用して、ユーザとの対話を提供することもでき、たとえば、ユーザに提供されるフィードバックは、任意の形の感覚フィードバック（たとえば、視覚フィードバック、聴覚フィードバック、または触覚フィードバック）とすることができ、ユーザからの入力を、音響、音声、または触覚入力を含む任意の形で受信することができる。
【０１２３】
本明細書で説明されるシステムおよび技法を、バック・エンド構成要素を含むコンピューティング・システム（たとえばデータ・サーバとして）、ミドルウェア構成要素を含むコンピューティング・システム（たとえば、アプリケーション・サーバ）、フロント・エンド構成要素を含むコンピューティング・システム（たとえば、ユーザがそれを介して本明細書で説明されるシステムおよび技法の実施態様と対話できるグラフィカル・ユーザ・インターフェースまたはウェブ・ブラウザを有するクライアント・コンピュータ）、またはバック・エンド構成要素、ミドルウェア構成要素、もしくはフロント・エンド構成要素の任意の組合せで実施することができる。システムの構成要素を、任意の形のデジタル・データ通信またはデジタル・データ通信の任意の媒体（たとえば、通信ネットワーク）によって相互接続することができる。通信ネットワークの例は、ローカル・エリア・ネットワーク（「ＬＡＮ」）、広域ネットワーク（「ＷＡＮ」）、およびインターネットを含む。
【０１２４】
コンピューティング・システムは、クライアントおよびサーバを含むことができる。クライアントおよびサーバは、一般に、お互いからリモートであり、通常は通信ネットワークを介して相互作用する。クライアントおよびサーバの関係は、それぞれのコンピュータ上で走行し、お互いに対するクライアント−サーバ関係を有するコンピュータ・プログラムのおかげで生じる。
【０１２５】
明瞭さのために、本明細書のプロセスおよび方法は、特定の流れを用いて図示されたが、本発明の趣旨から逸脱せずに、他のシーケンスが可能である可能性があることと、一部を並列に実行できることとを理解されたい。さらに、ステップを、副分割しまたは組み合わせることができる。本明細書で開示されるように、本発明に従って記述されたソフトウェアは、メモリまたはＣＤ−ＲＯＭなどのコンピュータ可読媒体の何らかの形に記憶され、またはネットワークを介して送信され、プロセッサによって実行され得る。
【０１２６】
本明細書で引用されたすべての参考文献は、参照によって組み込まれることが意図されている。本発明が、上では特定の実施形態に関して説明されたが、本発明に対する変更および修正が、疑いなく当業者に明白になり、添付の特許請求の範囲および同等物内で実践され得ることが予想されている。複数のコンピュータが、全体として本明細書で識別される構成要素の機能を実行する、すなわち、単一のコンピュータに取って代わるように、複数のコンピュータを並列配置または負荷共有配置で使用すること、または複数のコンピュータにまたがってタスクを分散させることなど、複数のコンピュータを使用することができる。上で説明した様々な機能を、単一のコンピュータ上または複数のコンピュータにまたがって分散された、単一のプロセスまたはプロセスのグループによって実行することができる。プロセスは、ある種のタスクを処理するために他のプロセスを呼び出すことができる。単一のストレージ・デバイスを使用することができ、あるいは、単一のストレージ・デバイスに取って代わるために複数のストレージ・デバイスを使用することができる。本実施形態は、例示的であって制限的ではないと解釈されなければならず、本発明は、本明細書で与えられる詳細に限定されない。したがって、本開示および以下の特許請求の範囲は、本発明の真の趣旨および範囲に含まれるものとしてそのような変更および修正のすべてを包含するものとして解釈されることが意図されている。
【図１】
2021528298.tif 000005
【図２】
2021528298.tif 000006
【図３】
2021528298.tif 000007
【図４】
2021528298.tif 000008
【図５】
2021528298.tif 000009
【図６】
2021528298.tif 000010
【図７】
2021528298.tif 000011
【図８】
2021528298.tif 000012
【図９】
2021528298.tif 000013
【図１０】
2021528298.tif 000014
【図１１】
2021528298.tif 000015
【図１２】
2021528298.tif 000016
【図１３】
2021528298.tif 000017
【図１４】
2021528298.tif 000018
【図１５】
2021528298.tif 000019
【図１６】
2021528298.tif 000020
【図１７】
2021528298.tif 000021
【図１８】
2021528298.tif 000022
【図１９】
2021528298.tif 000023
【図２０】
2021528298.tif 000024
【図２１】
2021528298.tif 000025
【図２２】
2021528298.tif 000026
【図２３】
2021528298.tif 000027
【図２４】
2021528298.tif 000028
【図２５】
2021528298.tif 000029
【図２６】
2021528298.tif 000030
【図２７】
2021528298.tif 000031
【図２８】
2021528298.tif 000032
【図２９】
2021528298.tif 000033
【図３０】
2021528298.tif 000034
【図３１】
2021528298.tif 000035
【図３２】
2021528298.tif 000036
【図３３】
2021528298.tif 000037
【図３４】
2021528298.tif 000038
【図３５】
2021528298.tif 000039
【図３６】
2021528298.tif 000040
【図３７】
2021528298.tif 000041
【国際調査報告】
2021528298.tif 000042